(57)【特許請求の範囲】
【請求項１】
入射される光束を複数の部分光束に分割する第１マルチレンズと、
前記第１マルチレンズから前記複数の部分光束が入射される第２マルチレンズと、
前記第１マルチレンズを保持する第１保持部材と、
前記第２マルチレンズを保持し、前記光束の中心軸に対する直交面に沿って摺動可能に前記第１保持部材と組み合わされる第２保持部材と、
前記第１保持部材側への付勢力を前記第２保持部材に作用させる付勢部材と、を備え、
前記第１保持部材及び前記第２保持部材のうち、
一方の保持部材は、複数の突出部を有し、
他方の保持部材は、前記複数の突出部のうち対応する突出部と当接され、当該突出部に沿って摺動する複数の摺動面を有し、
前記付勢部材は、前記第１保持部材側とは反対側の前記第２保持部材の面において、前記複数の摺動面のいずれかと前記複数の突出部のいずれかとの当接部位近傍の位置に前記付勢力を作用させる複数の作用部を有することを特徴とするホモジナイザー光学装置。
【請求項２】
請求項１に記載のホモジナイザー光学装置において、
前記複数の作用部のうち、少なくとも１つの作用部における少なくとも一部は、前記第２保持部材を前記第１保持部材側とは反対側から見て、前記摺動面の一部と重なることを特徴とするホモジナイザー光学装置。
【請求項３】
請求項１又は請求項２に記載のホモジナイザー光学装置において、
前記複数の摺動面のそれぞれは、前記他方の保持部材における隅部に位置することを特徴とするホモジナイザー光学装置。
【請求項４】
請求項１から請求項３のいずれか一項に記載のホモジナイザー光学装置において、
前記第２保持部材は、長手方向における略中央に、位置調整用の治具によって把持される被把持部を有することを特徴とするホモジナイザー光学装置。
【請求項５】
励起光を出射する光源部と、
前記光源部から入射される前記励起光の中心軸に対する直交面における照度を均一化する、請求項１から請求項４のいずれか一項に記載のホモジナイザー光学装置と、
前記ホモジナイザー光学装置を通過した前記励起光のうち、一部の励起光の波長を変換して、蛍光を出射する波長変換装置と、
前記ホモジナイザー光学装置を通過した前記励起光のうちの他の一部の励起光、及び、前記波長変換装置から出射された前記蛍光を合成して出射する光合成装置と、を備えることを特徴とする光源装置。
【請求項６】
請求項５に記載の光源装置において、
前記ホモジナイザー光学装置、前記波長変換装置及び前記光合成装置を収容する筐体を備え、
前記筐体は、前記第１保持部材と前記第２保持部材とを固定する治具が挿入される開口部を有することを特徴とする光源装置。
【請求項７】
入射される光束の径を変化させるレンズと、
前記レンズを収容する収容体と、
前記光束の中心軸に対する直交面に沿って摺動可能に前記収容体を支持する支持部材と、
前記支持部材側への付勢力を前記収容体に作用させる付勢部材と、を備え、
前記収容体及び前記支持部材のうち、
一方は、他方側に突出する突出部を有し、
他方は、前記突出部に当接して、前記突出部に沿って摺動する摺動面を有し、
前記付勢部材は、前記支持部材側とは反対側の前記収容体の面において、前記摺動面と前記突出部との当接部位近傍の位置に前記付勢力を作用させる複数の作用部を有することを特徴とするピックアップ光学装置。
【請求項８】
請求項７に記載のピックアップ光学装置において、
前記収容体は、
筒状を有し、前記レンズを収容する収容体本体と、
前記収容体本体の外縁から径方向外側に広がる外径部と、を有し、
前記付勢部材は、前記収容体本体を囲む枠状に形成され、
前記外径部における光入射側の面に前記摺動面が位置し、光出射側の面に前記複数の作用部が当接することを特徴とするピックアップ光学装置。
【請求項９】
請求項８に記載のピックアップ光学装置において、
前記付勢部材は、
それぞれ前記複数の作用部の少なくとも１つを有し、前記支持部材に固定される複数の固定部と、
前記複数の固定部の少なくとも２つを接続し、前記複数の作用部によって作用する前記付勢力を調整する調整部と、を有することを特徴とするピックアップ光学装置。
【請求項１０】
請求項９に記載のピックアップ光学装置において、
前記複数の固定部のそれぞれは、平板状を有し、
前記調整部は、前記複数の固定部に略直交する平板状を有することを特徴とするピックアップ光学装置。
【請求項１１】
請求項７から請求項１０のいずれか一項に記載のピックアップ光学装置において、
前記収容体を前記支持部材に固定する固定部材を有し、
前記固定部材は、前記収容体を挿通して前記支持部材に固定される固定具を保持していることを特徴とするピックアップ光学装置。
【請求項１２】
励起光を出射する光源部と、
前記励起光のうち一部の励起光の波長を変換して蛍光を出射する波長変換装置と、
前記励起光のうち他の一部の励起光を拡散させる拡散素子と、
前記波長変換装置から出射された前記蛍光、及び、前記拡散素子により拡散された前記他の一部の励起光を合成する光合成装置と、
前記拡散素子に対する光入射側及び光出射側の少なくともいずれかに位置する、請求項７から請求項１１のいずれか一項に記載のピックアップ光学装置と、を備えることを特徴とする光源装置。
【請求項１３】
請求項１２に記載の光源装置において、
前記波長変換装置、前記光合成装置及び前記ピックアップ光学装置を収容する筐体を備え、
前記筐体は、前記収容体と前記支持部材とを固定する治具が挿入される開口部を有することを特徴とする光源装置。
【請求項１４】
励起光を出射する光源部と、
前記光源部から入射される前記励起光の中心軸に対する直交面における照度を均一化する、請求項１から請求項４のいずれか一項に記載のホモジナイザー光学装置と、
前記ホモジナイザー光学装置を通過した前記励起光のうち、一部の励起光の波長を変換して蛍光を出射する波長変換装置と、
前記励起光のうち他の一部の励起光を拡散させる拡散素子と、
前記波長変換装置から出射された前記蛍光、及び、前記拡散素子により拡散された前記他の一部の励起光を合成する光合成装置と、
前記拡散素子に対する光入射側及び光出射側の少なくともいずれかに位置する、請求項７から請求項１１のいずれか一項に記載のピックアップ光学装置と、
前記ホモジナイザー光学装置、前記波長変換装置、前記拡散素子、前記光合成装置及び前記ピックアップ光学装置を収容する筐体と、を備え、
前記筐体は、
前記ホモジナイザー光学装置の前記第１保持部材及び前記第２保持部材を固定する第１治具が挿入される第１開口部と、
前記ピックアップ光学装置の前記収容体及び前記支持部材を固定する第２治具が挿入される第２開口部と、を有し、
前記第１開口部及び前記第２開口部は、前記筐体において同じ側に開口することを特徴とする光源装置。
【請求項１５】
請求項５、請求項６、請求項１２から請求項１４のいずれか一項に記載の光源装置と、
前記光源装置から出射された光を変調する光変調装置と、
前記光変調装置によって変調された光を投射する投射光学装置と、を備えることを特徴とするプロジェクター。
【発明の詳細な説明】
【技術分野】
【０００１】
本発明は、ホモジナイザー光学装置、ピックアップ光学装置、光源装置及びプロジェクターに関する。
【背景技術】
【０００２】
従来、励起光を出射する固体光源と、当該励起光により励起されて蛍光を出射する波長変換素子と、を有する照明装置を備えたプロジェクターが知られている（例えば、特許文献１参照）。
具体的に、特許文献１に記載のプロジェクターは、アレイ光源、コリメーター光学系、アフォーカル光学系、第１の位相差板、ホモジナイザー光学系、プリズム、第１のピックアップ光学系、発光素子（波長変換装置）、第２の位相差板、第２のピックアップ光学系、拡散反射素子、インテグレーター光学系、偏光変換素子及び重畳光学系を有する照明装置を備えている。これらのうち、アレイ光源、コリメーター光学系、アフォーカル光学系、第１の位相差板、ホモジナイザー光学系、プリズム、第２の位相差板、第２のピックアップ光学系及び拡散反射素子は、第１の光軸上に位置し、プリズム、第１のピックアップ光学系、発光素子（波長変換素子）、インテグレーター光学系、偏光変換素子及び重畳光学系は、第１の光軸に直交する第２の光軸上に位置する。そして、プリズムは、第１の光軸と第２の光軸とが交差する部位に配置されている。
【０００３】
アレイ光源は、固体光源である複数の半導体レーザーがアレイ状に並んだ構成を有し、当該アレイ光源から出射されたレーザー光であるＳ偏光の青色光は、コリメーター光学系により平行光束に変換され、アフォーカル光学系によって光束径が調整される。この青色光の偏光軸は、当該青色光が１／２波長板である第１の位相差板を通過することによって回転され、Ｓ偏光である青色光の一部がＰ偏光に変換される。
【０００４】
上記青色光に含まれるＳ偏光及びＰ偏光のうち、Ｓ偏光は、プリズムの偏光分離素子にて反射され、Ｐ偏光は、偏光分離素子を透過する。
反射されたＳ偏光は、第１のピックアップ光学系を介して発光素子の蛍光体層に励起光として入射され、これにより、黄色の蛍光が生成される。この蛍光は、偏光方向が揃っていない非偏光光であり、非偏光状態のまま第１のピックアップ光学系及び偏光分離素子を透過し、インテグレーター光学系に入射される。
一方、偏光分離素子を透過した青色光のＰ偏光は、第２の位相差板を通過して円偏光に変換され、第２のピックアップ光学系を介して拡散反射素子にて拡散反射される。この青色光は、第２のピックアップ光学系及び第２の位相差板に再度入射されてＳ偏光に変換され、上記偏光分離素子にて反射されて、インテグレーター光学系に入射される。
【０００５】
インテグレーター光学系は、複数の第１レンズを有する第１レンズアレイと、複数の第１レンズに対応する複数の第２レンズを有する第２レンズアレイとを有し、上記青色光及び上記蛍光を含む照明光を複数の部分光束に分割し、重畳光学系とともに、被照明領域である光変調装置に重畳する。これらインテグレーター光学系及び重畳光学系の間には、偏光変換素子が配置され、これにより偏光方向が揃えられる。
そして、各光変調装置によって変調された各色光（画像光）は、合成光学系によって合成された後、投射光学装置によってスクリーンに拡大投射される。
【先行技術文献】
【特許文献】
【０００６】
【特許文献１】特開２０１５−１０６１３０号公報
【発明の概要】
【発明が解決しようとする課題】
【０００７】
上記特許文献１に記載の照明装置では、発光素子にて生じた蛍光と、拡散反射素子によって拡散反射された青色光とを、偏光分離素子にて合成して、インテグレーター光学系に出射する構成である。このため、偏光分離素子を透過した蛍光の光路と、当該偏光分離素子にて反射された青色光の光路とを合わせ、更には、当該蛍光及び青色光の光束径を合わせる必要がある。
これに対し、例えば、ホモジナイザー光学系に入射される青色光の中心軸に対する直交面における、ホモジナイザー光学系が有する一対のレンズアレイのうち一方に対する他方の位置を調整し、第２のピックアップ光学系に入射される青色光の中心軸に対する直交面における、第２のピックアップ光学系の位置を調整して、蛍光の光路と青色光の光路とを合わせることが考えられる。
【０００８】
このような他方のレンズアレイや第２のピックアップ光学系を構成するピックアップレンズ等の光学部品の位置調整は、当該光学部品を保持する保持体を、所定位置に固定される固定部材に、板ばね等の付勢部材によって付勢した状態で行われることが多い。
しかしながら、付勢部材において保持体に当接して付勢力を作用させる作用部の位置が適切ではないと、当該光学部品の位置調整時に、固定部材に対する保持体の摺動を滑らかに実施できないという問題がある。そして、このような場合、光軸ずれが生じたり、光学部品の位置調整を実施しづらくなったりするため、調整操作を繰り返し実施しなければならない場合がある。
【０００９】
本発明は、上記課題の少なくとも一部を解決することを目的としたものであり、位置調整操作を実施しやすくすることができるホモジナイザー光学装置、ピックアップ光学装置、光源装置及びプロジェクターを提供することを目的の１つとする。
【課題を解決するための手段】
【００１０】
本発明の第１態様に係るホモジナイザー光学装置は、入射される光束を複数の部分光束に分割する第１マルチレンズと、前記第１マルチレンズから前記複数の部分光束が入射される第２マルチレンズと、前記第１マルチレンズを保持する第１保持部材と、前記第２マルチレンズを保持し、前記光束の中心軸に対する直交面に沿って摺動可能に前記第１保持部材と組み合わされる第２保持部材と、前記第１保持部材側への付勢力を前記第２保持部材に作用させる付勢部材と、を備え、前記第１保持部材及び前記第２保持部材のうち、一方の保持部材は、複数の突出部を有し、他方の保持部材は、前記複数の突出部のうち対応する突出部と当接され、当該突出部に沿って摺動する複数の摺動面を有し、前記付勢部材は、前記第１保持部材側とは反対側の前記第２保持部材の面において、前記複数の摺動面のいずれかと前記複数の突出部のいずれかとの当接部位近傍の位置に前記付勢力を作用させる複数の作用部を有することを特徴とする。
【００１１】
上記第１態様によれば、付勢部材が有する複数の作用部は、第１保持部材側とは反対側の第２保持部材の面において、これら第１保持部材及び第２保持部材の一方が有する摺動面と他方が有する突出部との当接部位近傍の位置に、当該第１保持部材側への付勢力を作用させる。これによれば、第２マルチレンズを保持する第２保持部材を上記直交面に沿って移動させて、第１マルチレンズに対して第２マルチレンズの位置を調整する時に、付勢部材による付勢力を第２保持部材に安定して作用させることができる。従って、第１保持部材に対する第２保持部材の摺動安定性を高めることができ、当該第２保持部材を滑らか摺動させることができるので、第２マルチレンズの位置調整操作を実施しやすくすることができる。
【００１２】
上記第１態様では、前記複数の作用部のうち、少なくとも１つの作用部における少なくとも一部は、前記第２保持部材を前記第１保持部材側とは反対側から見て、前記摺動面の一部と重なることが好ましい。
このような構成によれば、互いに相対的に摺動する突出部及び摺動面の一方に対して他方への上記付勢力を、より安定して作用させることができる。従って、第１保持部材に対する第２保持部材の摺動安定性を一層高めることができ、第２マルチレンズの位置調整操作を一層実施しやすくすることができる。
【００１３】
上記第１態様では、前記複数の摺動面のそれぞれは、前記他方の保持部材における隅部に位置することが好ましい。
このような構成によれば、複数の摺動面のそれぞれは、第１保持部材及び第２保持部材のうち一方の保持部材の隅部に位置し、対応する摺動面に当接する複数の突出部のそれぞれは、他方の保持部材の隅部に位置することとなる。これによれば、第２マルチレンズの位置調整を実施する際に、第２保持部材が第２マルチレンズの光軸に対して傾くことを抑制できる。従って、第２保持部材の摺動安定性を一層高めることができ、第２マルチレンズの位置調整操作を一層実施しやすくすることができる。
【００１４】
上記第１態様では、前記第２保持部材は、長手方向における略中央に、位置調整用の治具によって把持される被把持部を有することが好ましい。
ここで、上記被把持部が第２保持部材の長手方向における端部に設定されている場合、例えば、ねじによって第２保持部材を第１保持部材に固定する際に、当該第２保持部材が動いてしまうおそれがある。
これに対し、当該被把持部が第２保持部材の長手方向における略中央に位置することにより、第２保持部材の固定時に、上記のような第２保持部材の移動が発生することを抑制できる。従って、第２保持部材、ひいては、第２マルチレンズに位置ずれが生じることを抑制でき、第２マルチレンズを適切な位置に固定できる。更に、上記治具によって第２保持部材の重心位置近傍を把持しやすくすることができるので、当該第２保持部材の摺動安定性を高めることができる。
【００１５】
本発明の第２態様に係る光源装置は、励起光を出射する光源部と、前記光源部から入射される前記励起光の中心軸に対する直交面における照度を均一化する上記ホモジナイザー光学装置と、前記ホモジナイザー光学装置を通過した前記励起光のうち、一部の励起光の波長を変換して、蛍光を出射する波長変換装置と、前記ホモジナイザー光学装置を通過した前記励起光のうちの他の一部の励起光、及び、前記波長変換装置から出射された前記蛍光を合成して出射する光合成装置と、を備えることを特徴とする。
上記第２態様によれば、上記第１態様に係るホモジナイザー光学装置と同様の効果を奏することができる。また、これにより、光源装置の製造を容易に実施できる。
【００１６】
上記第２態様では、前記ホモジナイザー光学装置、前記波長変換装置及び前記光合成装置を収容する筐体を備え、前記筐体は、前記第１保持部材と前記第２保持部材とを固定する治具が挿入される開口部を有することが好ましい。
このような構成によれば、筐体内にホモジナイザー光学装置を収容した状態で、当該ホモジナイザー光学装置の第１保持部材と第２保持部材とを、開口部を介して筐体外から挿入される治具によって固定できる。従って、光源装置の製造を容易に実施できる他、筐体内に設定された照明光軸に対する第２マルチレンズの位置調整を適切に実施できる。
【００１７】
本発明の第３態様に係るピックアップ光学装置は、入射される光束の径を変化させるレンズと、前記レンズを収容する収容体と、前記光束の中心軸に対する直交面に沿って摺動可能に前記収容体を支持する支持部材と、前記支持部材側への付勢力を前記収容体に作用させる付勢部材と、を備え、前記収容体及び前記支持部材のうち、一方は、他方側に突出する突出部を有し、他方は、前記突出部に当接して、前記突出部に沿って摺動する摺動面を有し、前記付勢部材は、前記支持部材側とは反対側の前記収容体の面において、前記摺動面と前記突出部との当接部位近傍の位置に前記付勢力を作用させる複数の作用部を有することを特徴とする。
【００１８】
上記第３態様によれば、上記第１態様に係るホモジナイザー光学装置と同様に、付勢部材が有する複数の作用部は、支持部材側とは反対側の収容体の面において、これら収容体及び支持部材の一方が有する摺動面と他方が有する突出部との当接部位近傍の位置に、当該支持部材側への付勢力を作用させる。これによれば、上記レンズを収容する収容体を上記直交面に沿って移動させて当該レンズの位置を調整する時に、付勢部材による付勢力を収容体に安定して作用させることができる。従って、支持部材に対する収容体の摺動安定性を高めることができ、当該収容体を滑らか摺動させることができるので、上記レンズの位置調整操作を実施しやすくすることができる。
【００１９】
上記第３態様では、前記収容体は、筒状を有し、前記レンズを収容する収容体本体と、前記収容体本体の外縁から径方向外側に広がる外径部と、を有し、前記付勢部材は、前記収容体本体を囲む枠状に形成され、前記外径部における光入射側の面に前記摺動面が位置し、光出射側の面に前記複数の作用部が当接することが好ましい。
このような構成によれば、収容体本体を囲む枠状に形成された付勢部材によって、当該収容体本体の外縁から径方向外側に広がる外径部に付勢力を作用させることができるので、当該付勢力を安定して収容体に作用させることができる。従って、収容体の摺動安定性をより高めることができる。
【００２０】
上記第３態様では、前記付勢部材は、それぞれ前記複数の作用部の少なくとも１つを有し、前記支持部材に固定される複数の固定部と、前記複数の固定部の少なくとも２つを接続し、前記複数の作用部によって作用する前記付勢力を調整する調整部と、を有することが好ましい。
ここで、付勢部材によって作用する付勢力が強すぎると、収容体の摺動が、がたつくおそれがある。一方、当該付勢力が弱すぎると、収容体の摺動を容易に実施できるものの、支持部材から離間する方向に収容体が動きやすくなる。すなわち、いずれの場合においても、収容体の摺動安定性が低下する。
これに対し、上記構成によれば、調整部にて上記付勢力を調整できる。従って、収容体の摺動安定性を高めることができる。
【００２１】
上記第３態様では、前記複数の固定部のそれぞれは、平板状を有し、前記調整部は、前記複数の固定部に略直交する平板状を有することが好ましい。
このような構成によれば、支持部材に収容体及び付勢部材が取り付けられた状態で、平板状の調整部を支持部材から離間する方向に引くことにより、各固定部の作用部にて収容体に作用する付勢力を弱めることができる。一方、調整部を支持部材側に押すことにより、当該付勢力を高めることができる。従って、当該付勢力を確実かつ簡易に調整できる。
【００２２】
上記第３態様では、前記収容体を前記支持部材に固定する固定部材を有し、前記固定部材は、前記収容体を挿通して前記支持部材に固定される固定具を保持していることが好ましい。
なお、固定具としては、ねじ等の締結部材を例示できる。
このような構成によれば、固定具が固定部材から脱落することを抑制できる。このため、例えばピックアップ光学装置が筐体内に収容され、当該筐体内にて上記レンズの位置調整が実施される場合に、当該レンズの位置調整時に、固定具が脱落してしまうことを抑制できる。従って、レンズの位置調整時の操作、及び、当該レンズの位置調整後の支持部材に対する収容体の固定操作を容易に実施できる。
【００２３】
本発明の第４態様に係る光源装置は、励起光を出射する光源部と、前記励起光のうち一部の励起光の波長を変換して蛍光を出射する波長変換装置と、前記励起光のうち他の一部の励起光を拡散させる拡散素子と、前記波長変換装置から出射された前記蛍光、及び、前記拡散素子により拡散された前記他の一部の励起光を合成する光合成装置と、前記拡散素子に対する光入射側及び光出射側の少なくともいずれかに位置する上記ピックアップ光学装置と、を備えることを特徴とする。
上記第４態様によれば、上記第３態様に係るピックアップ光学装置と同様の効果を奏することができる。また、これにより、光源装置の製造を容易に実施できる。
【００２４】
上記第４態様では、前記波長変換装置、前記光合成装置及び前記ピックアップ光学装置を収容する筐体を備え、前記筐体は、前記収容体と前記支持部材とを固定する治具が挿入される開口部を有することが好ましい。
このような構成によれば、筐体内にピックアップ光学装置を収容した状態で、当該ピックアップ光学装置の収容体と支持部材とを、開口部を介して筐体外から挿入される治具によって固定できる。従って、光源装置の製造を容易に実施できる他、筐体内に設定された照明光軸に対する上記レンズの位置調整を適切に実施できる。
【００２５】
本発明の第５態様に係る光源装置は、励起光を出射する光源部と、前記光源部から入射される前記励起光の中心軸に対する直交面における照度を均一化する上記ホモジナイザー光学装置と、前記ホモジナイザー光学装置を通過した前記励起光のうち、一部の励起光の波長を変換して蛍光を出射する波長変換装置と、前記励起光のうち他の一部の励起光を拡散させる拡散素子と、前記波長変換装置から出射された前記蛍光、及び、前記拡散素子により拡散された前記他の一部の励起光を合成する光合成装置と、前記拡散素子に対する光入射側及び光出射側の少なくともいずれかに位置する上記ピックアップ光学装置と、前記ホモジナイザー光学装置、前記波長変換装置、前記拡散素子、前記光合成装置及び前記ピックアップ光学装置を収容する筐体と、を備え、前記筐体は、前記ホモジナイザー光学装置の前記第１保持部材及び前記第２保持部材を固定する第１治具が挿入される第１開口部と、前記ピックアップ光学装置の前記収容体及び前記支持部材を固定する第２治具が挿入される第２開口部と、を有し、前記第１開口部及び前記第２開口部は、前記筐体において同じ側に開口することを特徴とする。
上記第５態様によれば、上記第１態様に係るホモジナイザー光学装置、及び、上記第３態様に係るピックアップ光学装置と同様の効果を奏することができる。また、上記第１治具が挿入される第１開口部と、上記第２治具が挿入される第２開口部とが、筐体において同じ側に開口しているので、これら第１治具及び第２治具を筐体に対して同じ側から挿入できる。従って、ホモジナイザー光学装置の第２マルチレンズの位置調整操作、及び、ピックアップ光学装置の上記レンズの位置調整操作のそれぞれを、同時に或いは順次実施しやすくすることができる。
【００２６】
本発明の第６態様に係るプロジェクターは、上記光源装置と、前記光源装置から出射された光を変調する光変調装置と、前記光変調装置によって変調された光を投射する投射光学装置と、を備えることを特徴とする。
上記第６態様によれば、上記第２、第４及び第５態様に係る光源装置と同様の効果を奏することができる。
【図面の簡単な説明】
【００２７】
【図１】本発明の一実施形態に係るプロジェクターの外観を示す斜視図。
【図２】上記実施形態における装置本体の構成を示す模式図。
【図３】上記実施形態における照明装置の構成を示す模式図。
【図４】上記実施形態におけるホモジナイザー光学装置を光出射側から見た斜視図。
【図５】上記実施形態におけるホモジナイザー光学装置を光入射側から見た斜視図。
【図６】上記実施形態におけるホモジナイザー光学装置を示す六面図。
【図７】上記実施形態におけるホモジナイザー光学装置の第１マルチレンズ及び第１保持部材を光出射側から見た斜視図。
【図８】上記実施形態におけるホモジナイザー光学装置の第１マルチレンズ及び第１保持部材を光出射側から見た図。
【図９】上記実施形態におけるホモジナイザー光学装置の第２保持部材を光出射側から見た図。
【図１０】上記実施形態におけるホモジナイザー光学装置の第２保持部材を光入射側から見た斜視図。
【図１１】上記実施形態におけるホモジナイザー光学装置の付勢部材の作用部と摺動面との位置関係を示す図。
【図１２】上記実施形態における第２ピックアップ光学装置を示す斜視図。
【図１３】上記実施形態における第２ピックアップ光学装置を示す斜視図。
【図１４】上記実施形態における第２ピックアップ光学装置の収容体を示す斜視図。
【図１５】上記実施形態における第２ピックアップ光学装置の収容体を示す斜視図。
【図１６】上記実施形態における第２ピックアップ光学装置の支持部材を示す斜視図。
【図１７】上記実施形態における第２ピックアップ光学装置の付勢部材を示す斜視図。
【図１８】上記実施形態における第２ピックアップ光学装置の付勢部材を示す斜視図。
【図１９】上記実施形態における第２ピックアップ光学装置を示す図。
【図２０】上記実施形態における光源装置用筐体を示す斜視図。
【図２１】上記実施形態における光源装置用筐体を示す斜視図。
【図２２】上記実施形態における光源装置用筐体を示す平面図。
【図２３】上記実施形態における光源装置用筐体を示す斜視図。
【図２４】上記実施形態における光源装置用筐体を示す側面図。
【発明を実施するための形態】
【００２８】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、後述する照明装置４１から出射された光を変調して画像情報に応じた画像を形成し、形成された画像をスクリーン等の被投射面上に拡大投射する投射型画像表示装置である。このプロジェクター１は、当該照明装置４１を構成するホモジナイザー光学装置６及び第２ピックアップ光学装置７が、それぞれの光軸直交方向に対する位置調整後の固定時のずれを抑制する構成を有する点を、特徴の１つとしている。
このようなプロジェクター１は、図１に示すように、外観を構成し、後述する装置本体３（図２参照）を収容する外装筐体２を備える。この外装筐体２は、それぞれ合成樹脂により形成されたアッパーケース２Ａ、ロアーケース２Ｂ、フロントケース２Ｃ及びリアケース２Ｄが組み合わされて、略直方体形状に構成されている。このような外装筐体２は、天面部２１、底面部２２、正面部２３、背面部２４、左側面部２５及び右側面部２６を有する。
【００２９】
底面部２２には、プロジェクター１が載置面に載置される場合に当該載置面に接触する脚部２２１が、複数箇所に着脱可能に設けられている。
正面部２３の中央部分には、後述する投射光学装置４６の端部４６１を露出させ、当該投射光学装置４６により投射される画像が通過する開口部２３１が形成されている。
また、正面部２３において左側面部２５側の位置には、外装筐体２内の熱を帯びた冷却気体が排出される排気口２３２が形成され、当該排気口２３２には、複数のルーバー２３３が設けられている。
一方、正面部２３において右側面部２６側の位置には、プロジェクター１の動作状態を示す複数のインジケーター２３４が設けられている。
右側面部２６には、外部の空気を冷却気体として内部に導入する導入口２６１が形成され、当該導入口２６１には、フィルター（図示省略）が設けられたカバー部材２６２が取り付けられている。
【００３０】
［装置本体の構成］
図２は、装置本体３の構成を示す模式図である。
装置本体３は、図２に示すように、画像投射装置４を備える。更に、図示を省略するが、装置本体３は、プロジェクター１の動作を制御する制御装置、プロジェクター１を構成する電子部品に電力を供給する電源装置、及び、発熱体を冷却する冷却装置を備える。これらのうち、制御装置は、例えば、外部から入力される画像情報に応じた画像信号を画像投射装置４に出力する他、上記複数のインジケーター２３４の点灯を制御する。
【００３１】
［画像投射装置の構成］
画像投射装置４は、上記制御装置から入力される画像信号に応じた画像を形成して、上記被投射面ＰＳ上に投射する。この画像投射装置４は、照明装置４１、色分離装置４２、平行化レンズ４３、光変調装置４４、色合成装置４５及び投射光学装置４６を備える。
これらのうち、照明装置４１は、光変調装置４４を均一に照明する照明光ＷＬを出射する。この照明装置４１の構成については、後に詳述する。
【００３２】
色分離装置４２は、照明装置４１から入射される照明光ＷＬから青色光ＬＢ、緑色光ＬＧ及び赤色光ＬＲを分離する。この色分離装置４２は、ダイクロイックミラー４２１，４２２、反射ミラー４２３，４２４，４２５及びリレーレンズ４２６，４２７と、これらを内部に収容する光学部品用筐体４２８と、を備える。
ダイクロイックミラー４２１は、上記照明光ＷＬに含まれる青色光ＬＢを透過させ、緑色光ＬＧ及び赤色光ＬＲを反射させる。このダイクロイックミラー４２１を透過した青色光ＬＢは、反射ミラー４２３にて反射され、平行化レンズ４３（４３Ｂ）に導かれる。
ダイクロイックミラー４２２は、上記ダイクロイックミラー４２１にて反射された緑色光ＬＧ及び赤色光ＬＲのうち、緑色光ＬＧを反射させて平行化レンズ４３（４３Ｇ）に導き、赤色光ＬＲを透過させる。この赤色光ＬＲは、リレーレンズ４２６、反射ミラー４２４、リレーレンズ４２７及び反射ミラー４２５を介して、平行化レンズ４３（４３Ｒ）に導かれる。
平行化レンズ４３（赤、緑及び青の各色光用の平行化レンズを、それぞれ４３Ｒ，４３Ｇ，４３Ｂとする）は、入射される光を平行化する。
【００３３】
光変調装置４４（赤、緑及び青の各色光用の光変調装置を、それぞれ４４Ｒ，４４Ｇ，４４Ｂとする）は、それぞれ入射される上記色光ＬＲ，ＬＧ，ＬＢを変調して、制御装置から入力される画像信号に応じた色光ＬＲ，ＬＧ，ＬＢ毎の画像を形成する。これら光変調装置４４のそれぞれは、例えば、入射される光を変調する液晶パネルと、当該液晶パネルの入射側及び出射側に配置される一対の偏光板と、を備えて構成される。
色合成装置４５は、各光変調装置４４Ｒ，４４Ｇ，４４Ｂから入射される色光ＬＲ，ＬＧ，ＬＢ毎の画像を合成する。この色合成装置４５は、本実施形態では、クロスダイクロイックプリズムにより構成されているが、複数のダイクロイックミラーによって構成することも可能である。
投射光学装置４６は、色合成装置４５にて合成された画像を上記被投射面ＰＳに拡大投射する。このような投射光学装置４６として、例えば、鏡筒と、当該鏡筒内に配置される複数のレンズとにより構成される組レンズを採用できる。
【００３４】
［照明装置の構成］
図３は、照明装置４１の構成を示す模式図である。
照明装置４１は、上記のように、照明光ＷＬを色分離装置４２に向けて出射する。この照明装置４１は、図３に示すように、光源装置５及び均一化装置９を有する。
【００３５】
［光源装置の構成］
光源装置５は、均一化装置９に光束を出射する。この光源装置５は、光源部５１、アフォーカル光学素子５２、第１位相差素子５３、ホモジナイザー光学装置６、光合成装置５４、第１ピックアップ光学装置５５、波長変換装置５６、第２位相差素子５７、第２ピックアップ光学装置７及び拡散素子５８を備える他、後述する光源装置用筐体８（図２０参照）を備える。
これらのうち、光源部５１、アフォーカル光学素子５２、第１位相差素子５３、ホモジナイザー光学装置６、光合成装置５４、第２位相差素子５７、第２ピックアップ光学装置７及び拡散素子５８は、光源装置用筐体８に設定された第１照明光軸Ａｘ１上に配置されている。一方、第１ピックアップ光学装置５５及び波長変換装置５６は、同じく光源装置用筐体８に設定され、かつ、第１照明光軸Ａｘ１に直交する第２照明光軸Ａｘ２上に配置される。そして、光合成装置５４は、第１照明光軸Ａｘ１と第２照明光軸Ａｘ２との交差部分に配置され、第２位相差素子５７、第２ピックアップ光学装置７及び拡散素子５８は、光源部５１、アフォーカル光学素子５２、第１位相差素子５３、ホモジナイザー光学装置６と、光合成装置５４を挟んで反対側に位置する。
【００３６】
なお、以下の説明では、第１照明光軸Ａｘ１に沿って光源部５１から出射される励起光の進行方向を＋Ｚ方向とする。また、＋Ｚ方向に直交し、かつ、互いに直交する＋Ｘ方向及び＋Ｙ方向のうち、第１照明光軸Ａｘ１に直交する第２照明光軸Ａｘ２に沿って光源装置５から出射される照明光の進行方向を＋Ｘ方向とする。更に、底面部２２から天面部２１に向かう方向を＋Ｙ方向とする。そして、図示を省略するが、説明の便宜上、＋Ｚ方向とは反対方向を−Ｚ方向とする。−Ｘ方向及び−Ｙ方向も同様である。
【００３７】
［光源部の構成］
光源部５１は、アフォーカル光学素子５２に向けて青色光である励起光を出射する。この光源部５１は、第１光源部５１１、第２光源部５１２及び光合成部材５１３を有する。
第１光源部５１１は、ＬＤ（Laser Diode）である固体光源ＳＳがマトリクス状に複数配列された固体光源アレイ５１１１と、各固体光源ＳＳに応じた複数の平行化レンズ（図示省略）と、を有する。また、第２光源部５１２も同様に、固体光源ＳＳがマトリクス状に複数配列された固体光源アレイ５１２１と、各固体光源ＳＳに応じた複数の平行化レンズ（図示省略）と、を有する。これら固体光源ＳＳは、例えばピーク波長が４４０ｎｍの励起光を射出するが、ピーク波長が４４６ｎｍの励起光を出射してもよい。また、ピーク波長が４４０ｎｍ及び４４６ｎｍの励起光をそれぞれ出射する固体光源を、各光源部５１１，５１２に混在させてもよい。これら固体光源ＳＳから出射された励起光は、平行化レンズにより平行化されて光合成部材５１３に入射される。本実施形態では、各固体光源ＳＳから出射される励起光は、Ｓ偏光である。
【００３８】
光合成部材５１３は、第１光源部５１１から第１照明光軸Ａｘ１に沿って出射された励起光を透過し、第２光源部５１２から第１照明光軸Ａｘ１に交差する方向に沿って出射された励起光を第１照明光軸Ａｘ１に沿うように反射させ、各励起光を合成する。この光合成部材５１３は、本実施形態では、第１光源部５１１からの励起光を透過させる複数の透過部と、第２光源部５１２からの励起光を反射させる複数の反射部と、が交互に配列された板状体として構成されている。このような光合成部材５１３を介した励起光は、アフォーカル光学素子５２に入射される。
なお、図３では、光合成部材５１３の機能を説明するために、第２光源部５１２を、光合成部材５１３に対して＋Ｘ方向側に配置しているが、本実施形態においては、第２光源部５１２は、光合成部材５１３に対して＋Ｙ方向側に位置している。しかしながら、第２光源部５１２は、図３に示したように＋Ｘ方向側に位置していてもよく、−Ｙ方向側又は−Ｘ方向側に位置していてもよい。
【００３９】
［アフォーカル光学素子の構成］
アフォーカル光学素子５２は、光源部５１から入射される励起光の光束径を調整する。具体的に、アフォーカル光学素子５２は、光源部５１から平行光として入射される励起光を集光して光束径を縮小させるレンズ５２１と、当該レンズ５２１から入射される励起光を平行化して出射するレンズ５２２と、を有する。このアフォーカル光学素子５２により、光源部５１から出射された励起光は、集光されて第１位相差素子５３に入射される。
【００４０】
［第１位相差素子の構成］
第１位相差素子５３は、１／２波長板である。この第１位相差素子５３を透過することにより、アフォーカル光学素子５２から入射されるＳ偏光の励起光は、一部がＰ偏光の励起光に変換され、Ｓ偏光とＰ偏光とが混在した励起光となる。このような第１位相差素子５３を透過した励起光は、ホモジナイザー光学装置６に入射される。
なお、本実施形態では、第１位相差素子５３は、当該第１位相差素子５３の光軸（第１照明光軸Ａｘ１と一致）を中心として回動可能に構成されている。この第１位相差素子５３が回転されることにより、第１位相差素子５３を透過した励起光のＳ偏光光とＰ偏光光との割合を調整でき、ひいては、光源装置５から出射される照明光のホワイトバランスを調整できる。
【００４１】
［ホモジナイザー光学装置の構成］
ホモジナイザー光学装置６は、後述する第１ピックアップ光学装置５５とともに、後述する波長変換装置５６における被照明領域である蛍光体層５６３に入射される励起光の照度分布を均一化する均一化装置であり、当該ホモジナイザー光学装置６を透過した励起光は、光合成装置５４に入射される。このようなホモジナイザー光学装置６は、第１マルチレンズ６１及び第２マルチレンズ６２を備える。
【００４２】
第１マルチレンズ６１は、第１照明光軸Ａｘ１に対する直交面内に、複数の第１レンズ６１１がマトリクス状に配列された構成を有し、入射される励起光を当該複数の第１レンズ６１１によって複数の部分光束に分割する。
第２マルチレンズ６２は、第１照明光軸Ａｘ１に対する直交面内に、上記複数の第１レンズ６１１に応じた複数の第２レンズ６２１がマトリクス状に配列された構成を有する。そして、第２マルチレンズ６２は、各第１レンズ６１１により分割された複数の部分光束を、各第２レンズ６２１及び第１ピックアップ光学装置５５と協同して、上記被照明領域である蛍光体層５６３に重畳させる。これにより、当該蛍光体層５６３に入射される励起光の中心軸に直交する面内（第２照明光軸Ａｘ２に対する直交面内）の照度が均一化される。
なお、第２マルチレンズ６２は、第１照明光軸Ａｘ１に対する直交面（＋Ｚ方向に対する直交面）に沿って移動可能に構成され、第１マルチレンズ６１に対する位置調整が、光源装置５の製造（組立）の際に実施される。このようなホモジナイザー光学装置６の構成については、後に詳述する。
【００４３】
［光合成装置の構成］
光合成装置５４は、略直角二等辺三角柱状に形成されたプリズム５４１を有するＰＢＳ（Polarizing Beam Splitter）であり、斜辺に応じた面５４２が、第１照明光軸Ａｘ１及び第２照明光軸Ａｘ２のそれぞれに対して略４５°傾斜し、各隣辺に応じた面５４３，５４４のうち、面５４３が、第２照明光軸Ａｘ２に略直交し、面５４４が第１照明光軸Ａｘ１に略直交する。そして、面５４２には、波長選択性を有する偏光分離層が形成されている。
【００４４】
偏光分離層は、励起光に含まれるＳ偏光とＰ偏光とを分離する特性を有する他、後述する波長変換装置５６にて生じる蛍光を、当該蛍光の偏光状態に依らずに透過させる特性を有する。すなわち、偏光分離層は、青色光領域の波長の光についてはＳ偏光とＰ偏光とを分離するが、緑色光領域及び赤色光領域の波長の光についてはＳ偏光及びＰ偏光のそれぞれを透過させる、波長選択性の偏光分離特性を有する。
このような光合成装置５４により、ホモジナイザー光学装置６から入射された励起光のうち、Ｐ偏光は、第１照明光軸Ａｘ１に沿って第２位相差素子５７側に透過され、Ｓ偏光は、第２照明光軸Ａｘ２に沿って第１ピックアップ光学装置５５側に反射される。すなわち、光合成装置５４は、ホモジナイザー光学装置６から入射される励起光のうち、Ｐ偏光の励起光を第２位相差素子５７に向けて出射し、Ｓ偏光の励起光を第１ピックアップ光学装置５５に向けて出射する。
また、詳しくは後述するが、光合成装置５４は、第１ピックアップ光学装置５５を介して入射される蛍光と、第２位相差素子５７を介して入射される励起光（青色光）とを合成する。
【００４５】
［第１ピックアップ光学装置の構成］
第１ピックアップ光学装置５５には、ホモジナイザー光学装置６を通過して上記偏光分離層にて反射されたＳ偏光の励起光が入射される。この第１ピックアップ光学装置５５は、当該励起光を波長変換装置５６の波長変換素子５６１に集光（集束）させる他、当該波長変換素子５６１から出射された蛍光を平行化して、上記偏光分離層に向けて出射する。この第１ピックアップ光学装置５５は、３つのピックアップレンズ５５１〜５５３により構成されているが、当該第１ピックアップ光学装置５５が有するレンズの数は、３に限らない。
【００４６】
［波長変換装置の構成］
波長変換装置５６は、入射された励起光を蛍光に波長変換する。この波長変換装置５６は、波長変換素子５６１及び回転装置５６５を備える。
これらのうち、回転装置５６５は、平板状に形成された波長変換素子５６１を回転させるモーター等により構成されている。
【００４７】
波長変換素子５６１は、基板５６２と、当該基板５６２において励起光の入射側の面に位置する蛍光体層５６３及び反射層５６４と、を有する。
基板５６２は、励起光の入射側から見て略円形状に形成されている。この基板５６２は、金属やセラミックス等により構成できる。
蛍光体層５６３は、入射された励起光により励起されて非偏光光である蛍光（例えば５００〜７００ｎｍの波長域にピーク波長を有する蛍光）を出射する蛍光体を含む。この蛍光体層５６３にて生じる蛍光の一部は、第１ピックアップ光学装置５５側に出射され、他の一部は、反射層５６４側に出射される。
反射層５６４は、蛍光体層５６３と基板５６２との間に配置され、当該蛍光体層５６３から入射される蛍光を第１ピックアップ光学装置５５側に反射させる。
このような波長変換素子５６１に励起光が照射されると、蛍光体層５６３及び反射層５６４によって、上記蛍光が第１ピックアップ光学装置５５側に拡散出射される。そして、当該蛍光は、第１ピックアップ光学装置５５を介して光合成装置５４の偏光分離層に入射され、第２照明光軸Ａｘ２に沿って当該偏光分離層を透過して、均一化装置９に入射される。すなわち、波長変換素子５６１にて生じた蛍光は、光合成装置５４により、第２照明光軸Ａｘ２方向（＋Ｘ方向）に出射される。
【００４８】
なお、波長変換装置５６は、第１ピックアップ光学装置５５に対して少なくとも蛍光体層５６３の位置が第２照明光軸Ａｘ２に沿って移動可能に構成されている。本実施形態では、波長変換装置５６は、上記回転装置５６５を第２照明光軸Ａｘ２に沿って移動可能に支持する移動機構（図示省略）を有する。このように波長変換装置５６（蛍光体層５６３）が移動されることにより、蛍光体層５６３に対する励起光の照射範囲を調整できる。このため、波長変換装置５６から拡散出射される蛍光の光束径を調整でき、ひいては、光合成装置５４を介して均一化装置９側に進行する当該蛍光の光束径を調整できる。
【００４９】
［第２位相差素子、第２ピックアップ光学装置及び拡散素子の構成］
第２位相差素子５７は、１／４波長板であり、光合成装置５４を透過して入射されるＰ偏光の励起光（直線偏光）の偏光状態を円偏光に変換する。
第２ピックアップ光学装置７は、第２位相差素子５７を透過した励起光を拡散素子５８に集光（集束）させる光学装置であり、本実施形態では、３つのピックアップレンズ７１〜７３（本発明のレンズに相当）を有する。しかしながら、第２ピックアップ光学装置７を構成するレンズの数は、上記第１ピックアップ光学装置５５と同様に３に限らない。
拡散素子５８は、波長変換装置５６から拡散して出射される蛍光と同様の拡散角で、入射される励起光（青色光）を拡散反射させる。この拡散素子５８としては、入射光をランバート反射させる反射板５８１と、当該反射板５８１を回転させて冷却する回転装置５８２と、を有する。
【００５０】
このような拡散素子５８にて拡散反射された励起光は、第２ピックアップ光学装置７を介して再び第２位相差素子５７に入射される。この拡散素子５８にて反射される時に、当該拡散素子５８に入射された円偏光は逆回りの円偏光となり、第２位相差素子５７を再度透過する過程にて、当該逆回りの円偏光の励起光は、Ｐ偏光に対して偏光方向が９０°回転されたＳ偏光の励起光に変換される。そして、当該Ｓ偏光の励起光は、上記偏光分離層にて反射され、第２照明光軸Ａｘ２に沿って均一化装置９に青色光として入射される。すなわち、拡散素子５８にて拡散反射された励起光は、光合成装置５４により、当該光合成装置５４を通過する上記蛍光の進行方向と同方向に出射される。
【００５１】
なお、第２ピックアップ光学装置７を構成する上記ピックアップレンズ７１〜７３は、第１照明光軸Ａｘ１に対する直交面に沿って移動可能に構成されている。このように各レンズ７１〜７３が移動されることにより、拡散素子５８によって拡散された励起光（青色光）の上記偏光分離層に対する入射角、ひいては、当該偏光分離層にて反射されて均一化装置９に向かって進行する当該励起光の第２照明光軸Ａｘ２に対する傾斜角を調整できる。なお、上記ホモジナイザー光学装置６の第２マルチレンズ６２が移動されると、当該第２マルチレンズ６２を通過した励起光の光路が変更されることから、レンズ７１〜７３を通過する励起光の光路も変更される。このことから、当該レンズ７１〜７３の移動は、青色光について、第２マルチレンズ６２の移動による光路の変更を補完する機能も有する。
【００５２】
また、本実施形態では、拡散素子５８は、当該第１照明光軸Ａｘ１に沿って移動可能に構成されている。すなわち、拡散素子５８は、図示を省略するが、上記反射板５８１を第１照明光軸Ａｘ１に沿って移動可能に支持する移動機構を有する。このように反射板５８１が移動されることにより、当該反射板５８１に入射される励起光の光束径を調整できるので、当該拡散素子５８によって拡散される励起光の光束径、ひいては、上記偏光分離層にて反射されて均一化装置９に向かって進行する当該励起光の光束径を調整できる。
【００５３】
このように、ホモジナイザー光学装置６を介して光合成装置５４に入射された励起光のうち、Ｓ偏光の励起光は、波長変換装置５６によって上記蛍光に波長変換された後、光合成装置５４を透過して均一化装置９に入射される。一方、Ｐ偏光の励起光は、上記拡散素子５８に入射されることによって拡散反射されるとともに、第２位相差素子５７を２回透過し、光合成装置５４にて反射されて青色光として均一化装置９に入射される。すなわち、これら青色光、緑色光及び赤色光は、光合成装置５４にて合成されて第２照明光軸Ａｘ方向に出射され、白色の照明光として均一化装置９に入射される。
【００５４】
［均一化装置の構成］
均一化装置９は、光源装置５から入射される照明光の中心軸に対する直交面（光軸直交面）における照度を均一化し、ひいては、上記光変調装置４４（４４Ｒ，４４Ｇ，４４Ｂ）における被照明領域である画像形成領域（変調領域）の照度分布を均一化する。この均一化装置９は、第１レンズアレイ９１、第２レンズアレイ９２、偏光変換素子９３及び重畳レンズ９４を備える。これら構成９１〜９４は、それぞれの光軸が第２照明光軸Ａｘ２と一致するように配置される。
【００５５】
第１レンズアレイ９１は、複数の小レンズ９１１が光軸直交面にてマトリクス状に配列された構成を有し、当該複数の小レンズ９１１により、入射される照明光を複数の部分光束に分割する。
第２レンズアレイ９２は、第１レンズアレイ９１と同様に、複数の小レンズ９２１が光軸直交面にてマトリクス状に配列された構成を有し、各小レンズ９２１は、対応する小レンズ９１１と１対１の関係にある。すなわち、或る小レンズ９２１には、対応する小レンズ９１１から出射された部分光束が入射される。これら小レンズ９２１は、各小レンズ９１１により分割された複数の部分光束を、重畳レンズ９４とともに各光変調装置４４の上記画像形成領域に重畳させる。
偏光変換素子９３は、第２レンズアレイ９２と重畳レンズ９４との間に配置され、入射される複数の部分光束の偏光方向を揃える機能を有する。
【００５６】
［光源装置における光束の光路調整及び光束径調整］
上記光源装置５においては、光学部品の位置ずれや公差等により、当該光源装置５から出射される蛍光の光路及び青色光の光路が、均一化装置９の光軸である第２照明光軸Ａｘ２に対してずれる場合がある。これら蛍光及び青色光の光路にずれが生じると、対応する色光によって照明される光変調装置４４にて照度むらが生じ、これにより、投射画像に色むらが発生する。このため、上記光源装置５においては、当該光源装置５から出射される蛍光光及び青色光の光路を調整する必要がある。
また、光源装置５から出射される蛍光及び青色光のそれぞれの光束径が異なる場合も、上記照度むらが生じ、ひいては、投射画像に色むらが発生する。
従って、以下のように、蛍光及び青色光の光路調整（光軸調整）を実施する必要がある他、それぞれの光束径調整を実施する必要がある。
【００５７】
はじめに、青色光よりパワーがある蛍光の光路及び光束径のそれぞれを調整する。
まず、ホモジナイザー光学装置６の第２マルチレンズ６２を第１照明光軸Ａｘ１に対する直交面に沿って移動させて、当該波長変換装置５６（蛍光体層５６３）に対する励起光の入射角を調整する。これにより、波長変換装置５６から出射される蛍光の中心軸と第２照明光軸Ａｘ２とが一致するように調整される。
そして、波長変換装置５６を第２照明光軸Ａｘ２に沿って移動させて、光源装置５から均一化装置９に出射される蛍光が、上記第１レンズアレイ９１における小レンズ９１１の配置領域内に入射されるように、蛍光体層５６３の第２照明光軸Ａｘ２上の位置を調整する。これにより、蛍光の光束径が調整される。
【００５８】
次に、青色光の光路及び光束径を蛍光の光路及び光束径に合わせるように調整する。
まず、第２ピックアップ光学装置７のピックアップレンズ７１〜７３を第１照明光軸Ａｘ１に対する直交面に沿って移動させて、拡散素子５８に入射される青色光の入射位置、ひいては、光合成装置５４に入射される青色光の入射位置を調整する。これにより、光合成装置５４から第１レンズアレイ９１に向けて出射される青色光の光路が、当該第１レンズアレイ９１に向かって進行する蛍光の光路と一致するように調整される。
そして、拡散素子５８を第１照明光軸Ａｘ１に沿って移動させて、上記青色光が上記第１レンズアレイ９１における小レンズ９１１の配置領域内に入射され、かつ、蛍光の照射範囲と青色光の照射範囲とが一致するように、当該拡散素子５８の位置を調整する。これにより、青色光の光束径が、蛍光の光束径と一致するように調整される。
【００５９】
このようにして、蛍光の光路と青色光の光路とが一致し、当該蛍光の光束径と青色光の光束径とが一致することにより、光変調装置４４にて上記照度むらが発生することが抑制され、ひいては、投射画像に色むらが発生することが抑制される。
なお、上記のように、第１位相差素子５３は、第１照明光軸Ａｘ１を中心として回転可能に構成されており、これにより、当該第１位相差素子５３を通過する励起光にそれぞれ含まれるＰ偏光とＳ偏光との比率を調整できる。このため、光合成装置５４から拡散素子５８に向かう励起光の光量と、波長変換装置５６に向かう励起光の光量との比率、換言すると、青色光と蛍光との比率を調整できる。従って、光源装置５から出射される照明光ＷＬのホワイトバランスを調整できる。
【００６０】
［ホモジナイザー光学装置の詳細構成］
図４及び図５は、ホモジナイザー光学装置６を示す斜視図である。詳述すると、図４は、ホモジナイザー光学装置６を光出射側から見た斜視図であり、図５は、ホモジナイザー光学装置６を光入射側から見た斜視図である。また、図６は、ホモジナイザー光学装置６を示す六面図である。
ホモジナイザー光学装置６は、上記のように、第１マルチレンズ６１及び第２マルチレンズ６２を有し、当該第１マルチレンズ６１に対して第２マルチレンズ６２を上記第１照明光軸Ａｘ１に対する直交面（＋Ｚ方向に対する直交面）に沿って移動可能に構成されている。このため、ホモジナイザー光学装置６は、図４〜図６に示すように、第１マルチレンズ６１を保持する第１保持部材６３と、第２マルチレンズ６２を保持する第２保持部材６４と、第１保持部材６３側に第２保持部材６４を付勢する付勢部材６５と、を備える。
【００６１】
［第１保持部材の構成］
図７は、第１マルチレンズ６１及び第１保持部材６３を光出射側から見た斜視図であり、図８は、第１マルチレンズ６１及び第１保持部材６３を光出射側から見た図である。
第１保持部材６３は、第２保持部材６４に対して光入射側（−Ｚ方向側）に位置し、後述する光源装置用筐体８に固定される。この第１保持部材６３は、図７及び図８に示すように、長手方向が＋Ｘ方向に沿い、短手方向が＋Ｙ方向に沿う略長方形状に形成された第１マルチレンズ６１を保持する保持枠６３１と、当該保持枠６３１が固定される固定枠体６３２と、を有する。
【００６２】
［保持枠の構成］
保持枠６３１は、第１マルチレンズ６１の外縁に沿う略矩形の枠状に形成された金属製部材である。この保持枠６３１は、中央に略矩形の開口部６３１１を有し、当該開口部６３１１の端縁のうち、＋Ｙ方向側及び−Ｙ方向側の端縁は、第１マルチレンズ６１を挟持する一対の挟持部６３１２として構成されている。
また、保持枠６３１は、開口部６３１１の端縁における４つ隅部のうち１つの隅部に位置する押圧部６３１３を有する。この押圧部６３１３は、当該隅部に対して同じ対角線上に位置する隅部に向けて第１マルチレンズ６１を押圧して、当該第１マルチレンズ６１の開口部６３１１内での動き（特に＋Ｘ方向及び−Ｘ方向への動き）を規制する。なお、本実施形態では、押圧部６３１３は、−Ｘ方向側及び＋Ｙ方向側の隅部に位置しているが、他の隅部に位置していてもよい。
【００６３】
更に、保持枠６３１は、位置決め孔６３１４、固定孔６３１５及び一対の押さえ片６３１６を有する。
位置決め孔６３１４は、開口部６３１１に対して＋Ｙ方向側及び−Ｙ方向側の部位における＋Ｘ方向の略中央に位置する。換言すると、各位置決め孔６３１４は、＋Ｙ方向に沿って開口部６３１１の中央を通る仮想線上に位置する。これら位置決め孔６３１４には、固定枠体６３２が有する位置決め突起６３２６が挿入され、これにより、保持枠６３１が固定枠体６３２に位置決めされる。なお、−Ｙ方向側に位置する位置決め孔６３１４は、公差を吸収するために、＋Ｙ方向に長径を有する長円形状に形成されている。
固定孔６３１５は、＋Ｙ方向側に位置する位置決め孔６３１４を＋Ｘ方向に沿って挟む位置に２つ形成されている他、−Ｙ方向側に位置する位置決め孔６３１４を＋Ｘ方向に沿って挟む位置に２つ形成されている。これら固定孔６３１５は、保持枠６３１を固定枠体６３２に固定するねじＳＣ１が挿通する。
一対の押さえ片６３１６のそれぞれは、開口部６３１１に対して＋Ｘ方向側及び−Ｘ方向側に位置し、開口部６３１１内に位置する第１マルチレンズ６１を−Ｚ方向側に付勢して、当該固定枠体６３２に第１マルチレンズ６１を押圧する。これにより、第１マルチレンズ６１が、当該押さえ片６３１６と固定枠体６３２との間に挟持される。
【００６４】
［固定枠体の構成］
固定枠体６３２は、保持枠６３１が取り付けられた状態で、後述する光源装置用筐体８に固定される。この固定枠体６３２は、固定部６３２１，６３２２、収納凹部６３２３、開口部６３２４、２つの取付部６３２５、２つの位置決め突起６３２６、４つのねじ孔６３２７、２つの固定部６３２８及び４つの突出部６３２９を有する。
固定部６３２１，６３２２は、光源装置用筐体８に固定される部位である。これら固定部６３２１，６３２２は、固定枠体６３２における−Ｙ方向側に位置し、固定部６３２１は、−Ｚ方向側に突出し、固定部６３２２は、＋Ｚ方向側に突出している。そして、固定部６３２１，６３２２のそれぞれには、光源装置用筐体８に螺合して固定枠体６３２を固定するねじＳＣ２が挿通する孔部６３２１１，６３２２１を有する他、当該光源装置用筐体８の位置決め突起が挿入される孔部６３２１２，６３２２２（孔部６３２２２は図５参照）を有する。
更に、＋Ｚ方向側に位置する固定部６３２２は、後述する第２保持部材６４（詳しくは摺動枠体６４２）における−Ｙ方向側の端部が挿入される開口部６３２２３を有する。
【００６５】
収納凹部６３２３は、−Ｚ方向側に略矩形状に開口する凹状に形成され、内側に保持枠６３１が配置される部位である。
開口部６３２４は、収納凹部６３２３の底部に略矩形状に形成されており、当該開口部６３２４は、第１マルチレンズ６１に入射される励起光が通過する開口部である。そして、当該底部における開口部６３２４の周縁には、上記一対の押さえ片６３１６によって−Ｚ方向側に押圧された第１マルチレンズ６１の外縁部分が当接される。
【００６６】
取付部６３２５は、収納凹部６３２３の底部において開口部６３２４に対する＋Ｙ方向側及び−Ｙ方向側の位置に、＋Ｚ方向に向けてそれぞれ突設されている。これら取付部６３２５には、後述する付勢部材６５が取り付けられる。これら取付部６３２５は、付勢部材６５に挿入される位置決め突起６３２５１と、当該付勢部材６５を固定するねじＳＣ３（図４参照）が螺合するねじ孔６３２５２と、を有する。
なお、付勢部材６５については、後に詳述する。
【００６７】
位置決め突起６３２６は、開口部６３２４と＋Ｙ方向側に位置する取付部６３２５との間、及び、開口部６３２４と−Ｙ方向側に位置する取付部６３２５との間に、それぞれ＋Ｚ方向に向けて突設されている。これら位置決め突起６３２６は、保持枠６３１の上記位置決め孔６３１４に挿入され、当該保持枠６３１を位置決めする。
ねじ孔６３２７は、図５に示すように、＋Ｙ方向側の位置決め突起６３２６を＋Ｘ方向に沿って挟む位置に２つ形成されている他、−Ｙ方向側の位置決め突起６３２６を＋Ｘ方向に沿って挟む位置に２つ形成されている。これらねじ孔６３２７は、上記固定孔６３１５を挿通したねじＳＣ１（図７参照）が螺合して固定枠体６３２に保持枠６３１を固定するためのねじ孔である。
【００６８】
固定部６３２８は、固定枠体６３２における＋Ｙ方向側の端部、及び、−Ｙ方向側の端部のそれぞれに位置する。これら固定部６３２８は、ねじ孔６３２８１をそれぞれ有し、当該ねじ孔６３２８１に第２保持部材６４を挿通したねじＳＣ４が螺合することにより、第１保持部材６３に第２保持部材６４が固定される。
なお、固定部６３２８においてねじ孔６３２８１の端縁は、当該固定部６３２８から＋Ｚ方向に突出しており、当該端縁における＋Ｚ方向側の面６３２８Ａは、第２保持部材６４（摺動枠体６４２）が摺動する平坦面として形成されている。
【００６９】
突出部６３２９は、固定枠体６３２において略矩形の収納凹部６３２３の端縁における四隅にそれぞれ＋Ｚ方向に突設されている。これら突出部６３２９における＋Ｚ方向側の端面６３２９Ａは、＋Ｚ方向に直交する平坦面であり、当該端面６３２９Ａには、第２保持部材６４を構成する摺動枠体６４２の摺動面６４２８が当接する。
【００７０】
［第２保持部材の構成］
図９は、第２保持部材６４を＋Ｚ方向側（光出射側）から見た図であり、図１０は、第２保持部材６４を−Ｚ方向側（光入射側）から見た斜視図である。
第２保持部材６４は、第２マルチレンズ６２を保持する。この第２保持部材６４は、図４〜図６に示すように、第１保持部材６３（詳しくは、第１マルチレンズ６１を保持する保持枠６３１）に対して＋Ｚ方向側に位置し、＋Ｚ方向に対する直交面における位置が調整された後、当該第１保持部材６３にねじＳ３によって固定される。
このような第２保持部材６４は、図９及び図１０に示すように、第２マルチレンズ６２を保持する保持枠６４１と、摺動枠体６４２と、を備える。
【００７１】
［保持枠の構成］
保持枠６４１は、上記保持枠６３１と同じ金属製部材である。すなわち、保持枠６４１は、図９に示すように、開口部６３１１、一対の挟持部６３１２、押圧部６３１３、位置決め孔６３１４、固定孔６３１５及び一対の押さえ片６３１６とそれぞれ同様の開口部６４１１、一対の挟持部６４１２、押圧部６４１３、位置決め孔６４１４、固定孔６４１５及び一対の押さえ片６４１６を有する。
【００７２】
［摺動枠体の構成］
摺動枠体６４２は、上記保持枠６４１が取り付けられた状態で上記固定枠体６３２に固定される枠状部材である。具体的に、摺動枠体６４２は、図示しない治具によって＋Ｚ方向に対する直交面に沿って移動されて位置調整され、位置調整後に上記ねじＳ４によって固定枠体６３２に固定されるものである。この摺動枠体６４２は、図９及び図１０に示すように、収納凹部６４２１（図９）、開口部６４２２（図１０）、位置決め突起６４２３（図９）、ねじ孔６４２４、開口部６４２５、固定部６４２６、被把持部６４２７及び摺動面６４２８を有する。
【００７３】
収納凹部６４２１は、図９に示すように、＋Ｘ方向及び＋Ｙ方向における摺動枠体６４２の略中央に、上記保持枠６４１の形状に応じた略矩形状に形成され、当該保持枠６４１が配置される部分である。
開口部６４２２は、図１０に示すように、収納凹部６４２１の底部に、第２マルチレンズ６２における上記複数の第２レンズ６２１の配置領域に応じて略矩形状に形成されている。この開口部６４２２を介して、当該複数の第２レンズ６２１が−Ｚ方向側に露出され、当該複数の第２レンズ６２１に上記複数の第１レンズ６１１から出射された部分光束が入射される。
【００７４】
位置決め突起６４２３は、上記位置決め突起６３２６と同様に、開口部６４２２に対する＋Ｙ方向側及び−Ｙ方向側の部位における＋Ｘ方向の略中央に突設されている。これら位置決め突起６４２３は、上記保持枠６４１の位置決め孔６４１４に挿入される。
ねじ孔６４２４は、上記ねじ孔６３２７と同様に各位置決め突起６４２３を＋Ｘ方向にて挟む位置に配置され、図１０に示すように、合計４つ形成されている。これらねじ孔６４２４には、保持枠６４１の固定孔６４１５を挿通したねじＳ５が螺合し、これにより、保持枠６４１が摺動枠体６４２に固定される。
【００７５】
開口部６４２５は、開口部６４２２及び２つの位置決め突起６４２３を＋Ｙ方向において挟む位置にそれぞれ形成されている。すなわち、開口部６４２５は、開口部６４２２に対して＋Ｙ方向側に位置する位置決め突起６４２３の更に＋Ｙ方向側に位置する他、開口部６４２２に対して−Ｙ方向側に位置する位置決め突起６４２３の更に−Ｙ方向側に位置する。これら開口部６４２５は、略矩形状に形成されており、当該開口部６４２５を介して＋Ｚ方向側に上記取付部６３２５が露出する。
【００７６】
固定部６４２６は、摺動枠体６４２における＋Ｙ方向側の両端に位置している。すなわち、固定部６４２６は、上記固定枠体６３２の２つの固定部６３２８に応じて位置する。これら固定部６４２６は、上記ねじＳＣ４が挿通する孔部６４２６１をそれぞれ有する。また、固定部６４２６における−Ｚ方向側の面は、図１０に示すように、第２マルチレンズ６２の位置調整時に固定部６３２８の面６３２８Ａ上を摺動する摺動面６４２６Ａとして構成されている。
被把持部６４２７は、図９及び図１０に示すように、＋Ｙ方向における摺動枠体６４２の略中央で、かつ、＋Ｘ方向における摺動枠体６４２の両端にそれぞれ位置し、中央側に略三角形状に凹んだ凹部である。これら被把持部６４２７には、図示しない治具が挿入され、これにより、摺動枠体６４２が当該治具によって把持される。
【００７７】
摺動面６４２８は、図１０に示すように、摺動枠体６４２における固定部６４２６を除く略矩形の領域の四隅のそれぞれに位置し、＋Ｚ方向に直交する平坦面である。これら摺動面６４２８は、対応する突出部６３２９の端面６３２９Ａと当接され、上記治具によって摺動枠体６４２が位置調整される際に、当該端面６３２９Ａ上を摺動する。
【００７８】
［付勢部材の構成］
図１１は、ホモジナイザー光学装置６を＋Ｚ方向側から見た図であり、より詳しくは、付勢部材６５において付勢力を作用させる作用部６５４，６５５と上記４つの摺動面６４２８との位置関係を示す図である。
付勢部材６５（＋Ｙ方向側の付勢部材を６５Ａとし、−Ｙ方向側の付勢部材を６５Ｂとする）は、第２保持部材６４（詳しくは摺動枠体６４２）を、第１保持部材６３側（−Ｚ方向側）に付勢して、上記端面６３２９Ａと摺動面６４２８との当接状態、及び、固定部６３２８の面６３２８Ａと固定部６４２６の摺動面６４２６Ａとの当接状態を維持するものである。この付勢部材６５は、図１１に示すように、２つ設けられ、上記２つの取付部６３２５にそれぞれ取り付けられる。
【００７９】
これら付勢部材６５は、板金を折曲加工して形成される板バネであり、それぞれ、固定部６５１、屈曲部６５２，６５３及び作用部６５４，６５５を有する。
固定部６５１は、矩形状に形成され、上記取付部６３２５に固定される部位である。この固定部６５１は、上記位置決め突起６３２５１が挿入される位置決め孔６５１１と、上記ねじ孔６３２５２に螺合するねじＳＣ３が挿通する孔部６５１２と、を有する。
屈曲部６５２は、固定部６５１における＋Ｘ方向側の端部から＋Ｚ方向側に延出した後、＋Ｘ方向側に延出している。また、屈曲部６５３は、固定部６５１における−Ｘ方向側の端部から＋Ｚ方向側に延出した後、−Ｘ方向側に延出している。
作用部６５４は、屈曲部６５２における延出方向先端部（＋Ｘ方向側の端部）に位置し、作用部６５５は、屈曲部６５３における延出方向先端部（−Ｘ方向側の端部）に位置する。これら作用部６５４，６５５は、第２保持部材６４（摺動枠体６４２）に当接して、第１保持部材６３側への付勢力を作用させる。
【００８０】
ここで、作用部６５４，６５５は、各付勢部材６５が上記取付部６３２５に固定された際に、図１１において点線にて示す上記摺動面６４２８近傍にて第２保持部材６４に当接し、上記付勢力を作用させる。
詳述すると、付勢部材６５Ａの作用部６５４は、＋Ｚ方向側から見て、＋Ｘ方向側で＋Ｙ方向側に位置する摺動面６４２８の一部と重なるように、摺動枠体６４２における＋Ｚ方向側の面６４２Ａに当接する。また、付勢部材６５Ａの作用部６５５は、−Ｘ方向側で＋Ｙ方向側の摺動面６４２８の一部と重なるように、面６４２Ａに当接する。
一方、付勢部材６５Ｂの作用部６５４は、＋Ｚ方向側から見て、＋Ｘ方向側で−Ｙ方向側の摺動面６４２８の一部と重なるように面６４２Ａに当接する。また、付勢部材６５Ｂの作用部６５５は、−Ｘ方向側で−Ｙ方向側の摺動面６４２８の一部と重なるように面６４２Ａに当接する。
【００８１】
これら付勢部材６５の各作用部６５４，６５５は、上記治具によって把持された摺動枠体６４２が固定枠体６３２と接触した状態にて＋Ｚ方向に対する直交面に沿って摺動されて位置調整される場合に、当該摺動枠体６４２の摺動可能範囲において、摺動面６４２８の一部に応じた面６４２Ａの部位を押圧する。
このため、第１保持部材６３（固定枠体６３２）に対する第２保持部材６４（摺動枠体６４２）の摺動を安定化できる他、位置調整後に第２保持部材６４が第１保持部材６３に対してずれることを抑制できる。
【００８２】
［第２ピックアップ光学装置の詳細構成］
図１２は、第２ピックアップ光学装置７を−Ｚ方向側から見た斜視図であり、図１３は、第２ピックアップ光学装置７を＋Ｚ方向側から見た斜視図である。なお、図１２においては、ピックアップレンズ７１〜７３の図示を省略している。
第２ピックアップ光学装置７は、上記のように、第１照明光軸Ａｘ１に対する直交面（＋Ｚ方向に対する直交面）に沿ってピックアップレンズ７１〜７３を移動可能に保持する構成を有する。具体的に、第２ピックアップ光学装置７は、上記ピックアップレンズ７１〜７３の他、図１２及び図１３に示すように、収容体７４、支持部材７５、付勢部材７６（図１３）及び固定部材７７（図１３）を備える。
【００８３】
［収容体の構成］
図１４は、収容体７４を−Ｚ方向側から見た斜視図であり、図１５は、収容体７４を＋Ｚ方向側から見た斜視図である。
収容体７４は、図１４及び図１５に示すように、ピックアップレンズ７１〜７３を収容する収容体本体７４１と、当該収容体本体７４１に取り付けられる板状体７４２，７４３と、を有する。
【００８４】
［収容体本体の構成］
収容体本体７４１は、筒状部７４１１と、フランジ部７４１５とを有する。
筒状部７４１１は、内部にピックアップレンズ７１〜７３を収容する部分であり、略円錐台形状に形成されている。この筒状部７４１１は、円形状の開口部７４１２，７４１３と、２つの被把持部７４１４を有する。
開口部７４１２は、−Ｚ方向側に開口し、開口部７４１３は、＋Ｚ方向側に開口している。これらのうち、開口部７４１２の開口径は、開口部７４１３の開口径より大きい。
被把持部７４１４は、筒状部７４１１の外縁において＋Ｘ方向側及び−Ｘ方向側の部位に位置し、それぞれ内側に凹む凹部と直線部とにより構成されている。これら被把持部７４１４は、ピックアップレンズ７１〜７３の位置調整用の治具によって把持される。
【００８５】
フランジ部７４１５は、後述する板状体７４２，７４３と組み合わされることにより、本発明の外径部を構成する。このフランジ部７４１５は、筒状部７４１１の外縁から直径方向外側に延出しており、＋Ｚ方向側から見て略円形状を有する。このフランジ部７４１５は、ねじ孔７４１６及び凹部７４１７を有する。
ねじ孔７４１６は、フランジ部７４１５に板状体７４２，７４３を固定するねじＳＣ６が螺合する。これらねじ孔７４１６は、筒状部７４１１の中心軸を中心とする周方向に沿って等間隔に４つ形成されている。
凹部７４１７は、フランジ部７４１５における＋Ｘ方向側の端部、及び、−Ｘ方向側の端部に形成されている。これら凹部７４１７には、収容体７４を支持部材７５に固定する固定具としてのねじＳＣ１０（図１３参照）が挿通する。
【００８６】
フランジ部７４１５における−Ｚ方向側の端面は、支持部材７５に形成された突出部７５１３の端面７５１３Ａに当接し、ピックアップレンズ７１〜７３の位置調整の際に、当該端面７５１３Ａ上を摺動する摺動面７４１５Ａである。
一方、フランジ部７４１５における＋Ｚ方向側の端面７４１５Ｂにおいて、上記凹部７４１７の周縁部分には、後述する固定部材７７の押圧部７７２１，７７３１（図１９参照）が当接する。
【００８７】
［板状体の構成］
板状体７４２，７４３は、それぞれ、上記フランジ部７４１５における＋Ｚ方向側の端面７４１５Ｂに取り付けられ、本発明の外径部を構成する。
これら板状体７４２，７４３のうち、板状体７４２は、収容体本体７４１に対して＋Ｙ方向側に固定され、板状体７４３は、−Ｙ方向側に固定される。これら板状体７４２，７４３は、それぞれ筒状部７４１１の外縁の形状に沿って長方形の一部が切り欠かれた形状を有し、収容体本体７４１に取り付けられた際に、収容体７４の全体の形状が＋Ｚ方向側から見て、ピックアップレンズ７１〜７３の中心位置と同じ中心位置を有する略正方形状となるように形成されている。
【００８８】
板状体７４２は、上記ねじ孔７４１６に対応する位置に、ねじＳＣ６が挿通する孔部７４２１を有する他、収容体７４の隅部に応じた位置に、略正方形状の開口部７４２２を有する。これら開口部７４２２には、後述する付勢部材７６を支持部材７５に固定するねじＳＣ８（図１３参照）の一部が挿通する。
同様に、板状体７４３も、上記ねじ孔７４１６に対応する位置に孔部７４３１を有する他、収容体７４の隅部に応じた位置に開口部７４３２を有する。
【００８９】
［支持部材の構成］
図１６は、支持部材７５を＋Ｚ方向側から見た斜視図である。
支持部材７５は、収容体７４、付勢部材７６及び固定部材７７を支持して、後述する光源装置用筐体８に固定される。この支持部材７５は、枠部７５１及び固定部７５２，７５３を有する。
【００９０】
固定部７５２，７５３は、枠部７５１において−Ｙ方向側に位置する側面部７５１Ｄに位置する。
詳述すると、固定部７５２は、当該側面部７５１Ｄにおける＋Ｘ方向側及び−Ｘ方向側の端部から＋Ｚ方向側に突出している。この固定部７５２は、支持部材７５、ひいては、第２ピックアップ光学装置７を光源装置用筐体８に固定するねじＳＣ７（図１２及び図１３参照）が挿通する２つの孔部７５２１と、当該光源装置用筐体８に設けられた位置決め突起（図示省略）が挿入される２つの位置決め孔７５２２と、を有する。
固定部７５３は、側面部７５１Ｄから−Ｚ方向側に突出している。この固定部７５３は、上記ねじＳＣ７が挿通する２つの孔部７５３１を有する。
【００９１】
枠部７５１は、＋Ｘ方向、−Ｘ方向、＋Ｙ方向及び−Ｙ方向に直交する側面部７５１Ａ〜７５１Ｄを有し、これらによって囲まれる収納凹部７５１１内に、収容体７４、付勢部材７６及び固定部材７７が配置される。
このような枠部７５１は、収納凹部７５１１の底部に、励起光を通過させる略円形状の開口部７５１２を有する。この開口部７５１２の端縁には、枠部７５１の対角線上の位置に半円形状の切欠部７５１２１が形成されている。これら切欠部７５１２１の内側には、上記ねじＳＣ６の軸部が位置する。
【００９２】
また、枠部７５１は、収納凹部７５１１の底部に、突出部７５１３，７５１４、固定部７５１５，７５１６及びボス７５１７を有する。
突出部７５１３は、第２ピックアップ光学装置７における本発明の突出部に相当し、収納凹部７５１１の底部から＋Ｚ方向に突出している。具体的に、突出部７５１３は、＋Ｚ方向側から見て、開口部７５１２の端縁から固定部７５１６の周囲に至る範囲に位置し、当該範囲の部位が＋Ｚ方向に突出して形成されている。この突出部７５１３の＋Ｚ方向側の端面７５１３Ａには、上記収容体７４におけるフランジ部７４１５の摺動面７４１５Ａが当接する。
突出部７５１４は、開口部７５１２に対して＋Ｙ方向側及び−Ｙ方向側で、当該＋Ｙ方向に沿って開口部７５１２の中心を通る仮想線を挟む位置に、＋Ｚ方向側に突設されている。すなわち、突出部７５１４は、収納凹部７５１１の底部に４つ設けられている。これら突出部７５１４は、上記摺動面７４１５Ａに形成された凹部（図示省略）内に収容され、支持部材７５に対する収容体７４の移動範囲を規定する。
【００９３】
固定部７５１５は、−Ｙ方向側に位置する２つの突出部７５１４によって挟まれる位置に配置されている。この固定部７５１５は、後述する固定部材７７を固定するねじＳＣ９（図１９参照）が螺合するねじ孔である。
固定部７５１６は、＋Ｘ方向に沿って開口部７５１２の中心を通る仮想線上にそれぞれ設けられている。すなわち、固定部７５１６は、２つ設けられており、一方の固定部７５１６は、開口部７５１２に対して＋Ｘ方向側に位置し、他方の固定部７５１６は、開口部７５１２に対して−Ｘ方向側に位置する。これら固定部７５１６は、固定部材７７を挿通して収容体７４を支持部材７５に固定するねじＳＣ１０（図１３参照）が螺合するねじ孔である。
ボス７５１７は、収納凹部７５１１の底部における四隅に、それぞれ＋Ｚ方向側に突設されている。これら４つのボス７５１７の先端面には、付勢部材７６を固定するねじＳＣ８（図１３参照）が螺合するねじ孔７５１８がそれぞれ形成されている。
【００９４】
［付勢部材の構成］
図１７は、付勢部材７６を＋Ｚ方向側から見た斜視図であり、図１８は、当該付勢部材７６を−Ｚ方向側から見た斜視図である。
付勢部材７６は、図１３に示したように、略矩形の枠状に形成されており、上記収納凹部７５１１の底部との間に収容体７４の一部を挟むように支持部材７５に取り付けられ、当該収容体７４を支持部材７５側（−Ｚ方向側であり、収納凹部７５１１の底部側）に付勢する。この付勢部材７６は、図１７及び図１８に示すように、４つの固定部７６１と、４つの調整部７６４と、を有する。
【００９５】
固定部７６１（７６１Ａ〜７６１Ｄ）は、それぞれ略Ｌ字状の平板状に形成され、収納凹部７５１１の底部における四隅に応じた位置にそれぞれ配置されて、上記ねじＳＣ８によって固定される。具体的に、固定部７６１Ａは、＋Ｘ方向側で＋Ｙ方向側の隅部に配置され、固定部７６１Ｂは、−Ｘ方向側で＋Ｙ方向側の隅部に配置される。また、固定部７６１Ｃは、＋Ｘ方向側で−Ｙ方向側の隅部に配置され、固定部７６１Ｄは、−Ｘ方向側で−Ｙ方向側の隅部に配置される。
これら固定部７６１は、それぞれ、上記ねじＳＣ８の軸部が挿通し、端縁が当該ねじＳＣ８の頭部によって押圧される孔部７６２を有する。
また、各固定部７６１は、図１８に示すように、両端近傍の位置に、上記板状体７４２，７４３のいずれかに当接して付勢力を作用させる作用部７６３を有する。これら作用部７６３は、各固定部７６１における−Ｚ方向側の面から半球状に突出している。なお、これら作用部７６３による付勢力の作用位置は、後に詳述する。
【００９６】
４つの調整部７６４（７６４Ａ〜７６４Ｄ）は、それぞれ略Ｕ字状の平板状に形成され、対応する２つの固定部７６１間を接続する他、付勢部材７６によって収容体７４に作用する付勢力を調整する部位である。
具体的に、調整部７６４Ａは、固定部７６１Ａ，７６１Ｂ間を接続し、調整部７６４Ｂは、固定部７６１Ａ，７６１Ｃ間を接続する。また、調整部７６４Ｃは、固定部７６１Ｂ，７６１Ｄ間を接続し、調整部７６４Ｄは、固定部７６１Ｃ，７６１Ｄ間を接続する。
これら調整部７６４は、−Ｚ方向側の端部の中央に切欠部７６５が形成されている。そして、付勢部材７６が支持部材７５に取り付けられた際に、切欠部７６５にドライバー等の治具を挿入して、各調整部７６４を支持部材７５から離間する方向に引くことにより、付勢部材７６が僅かに変形され、上記付勢力が弱められる。一方、各調整部７６４を支持部材７５側に押すことにより、付勢部材７６が僅かに変形され、上記付勢力が強められる。このように付勢力が調整されることによって、支持部材７５に対する収容体７４の摺動容易性及び摺動安定性が高められる。
【００９７】
［固定部材の構成］
図１９は、第２ピックアップ光学装置７を＋Ｚ方向側から見た図である。
固定部材７７は、支持部材７５に取り付けられ、収容体７４を上記収納凹部７５１１の底部に向けて押圧固定する。この固定部材７７は、＋Ｘ方向に沿う基部７７１と、＋Ｘ方向における当該基部７７１の両端から＋Ｙ方向にそれぞれ延出する延出部７７２，７７３と、を有し、これらにより全体が略Ｕ字状に形成されている。
基部７７１は、上記側面部７５１Ｄに沿って配置される平板状部分である。この基部７７１の＋Ｘ方向における中央部分には、＋Ｚ方向に略直交する突出部７７１１が形成されており、当該突出部７７１１には、上記ねじＳＣ９が挿通する孔部（図示省略）が形成されている。このねじＳＣ９が上記固定部７５１５に固定されることにより、固定部材７７は、支持部材７５に固定される。
【００９８】
延出部７７２は、側面部７５１Ａに沿って配置される板状部分であり、延出部７７３は、側面部７５１Ｂに沿って配置される板状部分である。これら延出部７７２，７７３における＋Ｙ方向側の端部には、＋Ｚ方向に直交し、かつ、上記凹部７４１７を＋Ｚ方向側にて覆って、端面７４１５Ｂを押圧する押圧部７７２１，７７３１が設けられている。
これら押圧部７７２１，７７３１には、それぞれねじＳＣ１０が挿通する孔部（図示省略）が形成されている。そして、上記収容体７４が治具によって把持されて、ピックアップレンズ７１〜７３の位置が調整された後、当該ねじＳＣ１０が上記固定部７５１６に固定されることにより、ねじＳＣ１０がワッシャーＷを介して押圧力を押圧部７７２１，７７３１に作用させ、当該押圧部７７２１，７７３１が、フランジ部７４１５の端面７４１５Ｂを押圧固定する。これにより、支持部材７５に対して固定部材７７が固定され、ひいては、収容体７４が支持部材７５に固定される。
なお、ねじＳＣ１０は、押圧部７７２１，７７３１の孔部を挿通した状態で保持されている。これにより、ピックアップレンズ７１〜７３の位置調整時にねじＳＣ１０が脱落することが抑制される。
【００９９】
［付勢部材が有する作用部の位置］
ここで、付勢部材７６は、収容体７４の収容体本体７４１を囲む枠状に形成されており、当該付勢部材７６の四隅に位置するＬ字状の各固定部７６１は、両端に上記作用部７６３を有する。すなわち、作用部７６３は、収納凹部７５１１内において、開口部７４１２の中心を通り、かつ、＋Ｘ方向に沿う仮想の直線を挟むように＋Ｘ方向側に２箇所、−Ｘ方向側に２箇所設けられ、更に、当該中心を通り、かつ、＋Ｙ方向に沿う仮想の直線を挟むように＋Ｙ方向側に２箇所、−Ｙ方向側に２箇所設けられる。
また、収容体本体７４１内のピックアップレンズ７１〜７３は、当該収容体本体７４１の外縁から径方向外側に広がるフランジ部７４１５における上記摺動面７４１５Ａが、当該収容体本体７４１における−Ｚ方向側の端部が挿入される開口部７５１２の端縁から固定部７５１６までの範囲にかけて＋Ｚ方向側に突出する突出部７５１３の端面７５１３Ａ上を摺動することによって位置調整される。すなわち、突出部７５１３と摺動面７４１５Ａとは、収納凹部７５１１内において＋Ｘ方向側、−Ｘ方向側、＋Ｙ方向側及び−Ｙ方向側の位置にて当接する。
【０１００】
このため、各作用部７６３は、図１９に示すように、＋Ｚ方向側から見て、板状体７４２，７４３とともに外径部を構成するフランジ部７４１５の摺動面７４１５Ａと突出部７５１３との当接部位の近傍に位置する。これら作用部７６３が、摺動面７４１５Ａとは反対側の端面７４１５Ｂに上記付勢力を作用させ、収容体７４を支持部材７５に付勢する。これにより、支持部材７５に対する収容体７４の摺動安定性を高めることができる。
【０１０１】
［光源装置用筐体の構成］
図２０は、光源装置用筐体８を＋Ｚ方向側から見た斜視図である。
光源装置用筐体８は、上記のように、内部に設定された第１照明光軸Ａｘ１及び第２照明光軸Ａｘ２における所定位置にて上記構成５２〜５８，６，７を収容する筐体であり、上記光源部５１と接続される。この光源装置用筐体８は、図２０に示すように、−Ｙ方向側に位置し、各構成５２〜５８，６，７が固定される第１筐体８Ａと、＋Ｙ方向側に位置し、当該第１面部８１を閉塞する第２筐体８Ｂとが組み合わされた構成を有する。
なお、光源部５１は、それぞれ上記した第１光源部５１１、第２光源部５１２及び光合成部材５１３の他、第１光源部５１１（固体光源アレイ５１１１）と熱伝導可能に接続される放熱部材５１４と、第２光源部５１２（固体光源アレイ５１２１）と熱伝導可能に接続される放熱部材５１５と、各光源部５１１，５１２及び光合成部材５１３を収容する収容筐体５１６と、を有する。
【０１０２】
光源装置用筐体８は、−Ｚ方向側に位置する第１面部８１、＋Ｚ方向側に位置する第２面部８２、＋Ｙ方向側に位置する第３面部８３、−Ｙ方向側に位置する第４面部８４、−Ｘ方向側に位置する第５面部８５、及び、＋Ｘ方向側に位置する第６面部８６を有し、＋Ｙ方向側から見て、第５面部８５が−Ｘ方向側に突出した略Ｔ字状に形成されている。
第１面部８１は、−Ｚ方向側から見て略矩形状に形成され、当該第１面部８１には、光源部５１の収容筐体５１６が接続される。この第１面部８１には、図示を省略するが、光源部５１から出射された励起光を光源装置用筐体８内に入射させる開口部が形成されている。
【０１０３】
図２１は、光源装置用筐体８を−Ｚ方向側から見た斜視図である。
第６面部８６は、上記均一化装置９と接続される部位である。この第６面部８６には、図２１に示すように、上記光合成装置５４から出射された照明光が通過する円形状の開口部８６１が形成されている。
【０１０４】
図２２は、光源装置用筐体８を＋Ｙ方向側から見た平面図である。
第３面部８３は、図２２に示すように、上記ホモジナイザー光学装置６、光合成装置５４、第２位相差素子５７、第２ピックアップ光学装置７及び拡散素子５８に応じた位置に、これらを＋Ｙ方向側に露出させる開口部８３１を有する。この開口部８３１を介して、ホモジナイザー光学装置６の第２保持部材６４（摺動枠体６４２）を把持する治具、及び、第２ピックアップ光学装置７の収容体７４（筒状部７４１１）を把持する治具が挿入される。そして、これら治具によって、第２マルチレンズ６２及びピックアップレンズ７１〜７３の＋Ｚ方向に対する直交面における位置が調整される。
なお、当該開口部８３１は、図２０及び図２１に示すように、第３面部８３に固定される板状体８３２によって閉塞され、当該板状体８３２に対して＋Ｙ方向側には、プリント基板８３３が配置される。
【０１０５】
図２３は、光源装置用筐体８を−Ｙ方向側から見た斜視図である。
第４面部８４は、図２３に示すように、ホモジナイザー光学装置６に応じた位置に−Ｙ方向側に突出する突出部８４１を有する。この突出部８４１内には、−Ｙ方向側に位置する固定部６３２８，６４２６が配置され、当該突出部８４１には、−Ｚ方向に開口する開口部８４２が形成されており、当該開口部８４２を介して、−Ｙ方向側に位置するねじＳＣ４が露出される。なお、開口部８４２は、当該ねじＳＣ４による第１保持部材６３に対する第２保持部材６４の固定後に、カバー部材８４３によって閉塞される。
【０１０６】
図２４は、光源装置用筐体８を＋Ｚ方向側から見た図であり、換言すると、光源装置用筐体８の第２面部８２を示す側面図である。
第２面部８２は、光源部５１の収容筐体５１６と接続される第１面部８１とは反対側に位置する。この第２面部８２は、当該第２面部８２の中心に対して＋Ｙ方向側に位置する開口部８２１と、＋Ｘ方向側に位置する開口部８２２と、−Ｘ方向側に位置する開口部８２３と、を有し、これら開口部８２１〜８２３は、円型状に形成されている。
開口部８２１は、＋Ｚ方向側から見た場合に、ホモジナイザー光学装置６において＋Ｙ方向側に位置するねじＳＣ４を露出させる。この開口部８２１を介して、上記治具を当該ねじＳＣ４に係合させることができる。
また、第４面部８４に設けられた突出部８４１に位置する開口部８４２は、上記のように、＋Ｚ方向側から見た場合に、ホモジナイザー光学装置６において−Ｙ方向側に位置するねじＳＣ４を露出させる。この開口部８４２を介して、ドライバー等の治具を当該ねじＳＣ４に係合させることができる。
そして、このような治具によって、第２マルチレンズ６２の位置調整後の第２保持部材６４を第１保持部材６３に固定できる。
【０１０７】
一方、開口部８２２，８２３は、＋Ｚ方向側から見た場合に、第２ピックアップ光学装置７において＋Ｘ方向側及び−Ｘ方向側に位置するねじＳＣ１０を露出させる。これら開口部８２２，８２３を介して、ドライバー等の治具を当該ねじＳＣ１０に係合させることができ、ピックアップレンズ７１〜７３の位置調整後の収容体７４を支持部材７５に固定できる。
【０１０８】
このように、開口部８２１〜８２３，８４２は、光源装置用筐体８に対して光源部５１が位置する−Ｚ方向側とは反対側である＋Ｚ方向側に開口しており、これら開口部８２１〜８２３，８４２は、互いに離間している。このため、各開口部８２１〜８２３，８４２に挿入された治具が互いに干渉しない。従って、各治具によるねじＳＣ４，ＳＣ１０の締結を容易に実施でき、ひいては、ホモジナイザー光学装置６及び第２ピックアップ光学装置７の位置調整後の固定作業を容易に実施できる。
【０１０９】
［実施形態の効果］
以上説明した本実施形態に係るプロジェクター１によれば、以下の効果がある。
ホモジナイザー光学装置６において、付勢部材６５（６５Ａ，６５Ｂ）が有する作用部６５４，６５５は、第１保持部材６３側とは反対側の第２保持部材６４の面において、第１保持部材６３の突出部６３２９と、第２保持部材６４の摺動面６４２８との当接部位近傍の位置に、当該第１保持部材６３側への付勢力を作用させる。
これによれば、第２マルチレンズ６２を保持する第２保持部材６４を＋Ｚ方向に対する直交面に沿って移動させて、第１マルチレンズ６１に対して第２マルチレンズ６２の位置を調整する時に、付勢部材６５による付勢力を第２保持部材６４に安定して作用させることができる。従って、第１保持部材６３に対する第２保持部材６４の摺動安定性を高めることができ、当該第２保持部材６４を滑らか摺動させることができるので、第２マルチレンズ６２の位置調整操作を実施しやすくすることができる。また、これにより、光源装置５の製造を容易に実施できる。
【０１１０】
各作用部６５４，５５５の一部は、＋Ｚ方向側から見て、摺動面６４２８の一部と重なる。これによれば、突出部６３２９に当接する摺動面６４２８に上記付勢力をより安定して作用させることができる。従って、第１保持部材６３に対する第２保持部材６４の摺動安定性を一層高めることができ、第２マルチレンズ６２の位置調整操作を一層実施しやすくすることができる。
【０１１１】
摺動面６４２８は、それぞれ、第２保持部材６４における隅部に位置し、突出部６３２９は、当該摺動面６４２８に応じた部位に位置する。これによれば、第２マルチレンズ６２の位置調整を実施する際に、第２保持部材６４が第２マルチレンズ６２の光軸、すなわち、＋Ｚ方向に対して傾くことを抑制できる。従って、第２保持部材６４の摺動安定性を一層高めることができ、第２マルチレンズ６２の位置調整操作を一層実施しやすくすることができる。
【０１１２】
ここで、被把持部６４２７が第２保持部材６４の長手方向である＋Ｙ方向における端部に設定されている場合、ねじＳＣ４によって第２保持部材６４を第１保持部材６３に固定する際に、当該第２保持部材６４が動いてしまうおそれがある。
これに対し、被把持部６４２７が、第２保持部材６４において＋Ｙ方向の略中央に位置する。これによれば、上記治具が第２保持部材６４の重心位置近傍を把持するので、当該第２保持部材６４を安定して把持できる他、当該第２保持部材６４の固定時に第２保持部材６４が動くことを抑制できる。従って、第２保持部材６４、ひいては、第２マルチレンズ６２に位置ずれが生じることを抑制でき、第２マルチレンズ６２を適切な位置に固定できる。
【０１１３】
光源装置５は、上記構成５２〜５８，６，７を収容する光源装置用筐体８を備え、当該光源装置用筐体８は、第１保持部材６３と第２保持部材６４とを固定する治具が挿入される開口部８２１，８４２を有する。これによれば、光源装置用筐体８内にホモジナイザー光学装置６を収容した状態で、開口部８２１，８４２を介して光源装置用筐体８外から挿入される治具によって、第１保持部材６３と第２保持部材６４とを固定できる。従って、光源装置５の製造を容易に実施できる他、光源装置用筐体８内に設定された第１照明光軸Ａｘ１に対する第２マルチレンズ６２の位置調整を適切に実施できる。
【０１１４】
第２ピックアップ光学装置７では、付勢部材７６が有する複数の作用部７６３は、収容体７４において支持部材７５側とは反対側の端面７４２Ｂ，７４３Ｂにおいて、突出部７５１３と摺動面７４１５Ａとの当接部位近傍の位置に、支持部材７５側への付勢力を作用させる。これによれば、上記ピックアップレンズ７１〜７３を収容する収容体７４を＋Ｚ方向に対する直交面に沿って移動させて当該レンズ７１〜７３の位置を調整する時に、付勢部材７６による付勢力を安定して収容体７４に作用させることができる。従って、支持部材７５に対する収容体７４の摺動安定性を高めることができ、当該収容体７４を滑らか摺動させることができる。よって、上記レンズ７１〜７３の位置調整操作を実施しやすくすることができる。また、これにより、光源装置５の製造を容易に実施できる。
【０１１５】
収容体７４は、ピックアップレンズ７１〜７３を収容する筒状の収容体本体７４１と、収容体本体７４１の外縁から径方向外側に広がるフランジ部７４１５及び板状体７４２，７４３により構成される外径部と、を有する。そして、付勢部材７６は、収容体本体７４１を囲む枠状に形成されている。また、フランジ部７４１５における光入射側（−Ｚ方向側）の面は、突出部７５１３に当接する摺動面７４１５Ａであり、各板状体７４２，７４３における光出射側（＋Ｚ方向側）の面に上記作用部７６３が当接する。これによれば、枠状の付勢部材７６によって、板状体７４２，７４３に付勢力を作用させることができるので、当該付勢力を安定して収容体７４に作用させることができる。従って、収容体７４の摺動安定性をより高めることができる。
【０１１６】
ここで、付勢部材７６による付勢力が強すぎると、支持部材７５に沿う収容体７４の摺動が、がたつくおそれがある。一方、当該付勢力が弱すぎると、収容体７４の摺動を容易に実施できるものの、支持部材７５から離間する方向に収容体７４が動きやすくなる。すなわち、いずれの場合においても、収容体７４の摺動安定性が低下する。
これに対し、付勢部材７６は、それぞれ作用部７６３を有し、かつ、支持部材７５に固定される４つの固定部７６１（７６１Ａ〜７６１Ｄ）と、これら固定部７６１のうち２つを接続し、各作用部７６３によって作用する付勢力を調整する調整部７６４（７６４Ａ〜７６４Ｄ）と、を有する。これによれば、当該調整部７６４にて付勢部材７６による付勢力を調整できる。従って、収容体７４の摺動安定性を高めることができる。
【０１１７】
各固定部７６１は、ＸＹ平面に沿う平板状に形成され、調整部７６４は、各固定部７６１に直交するＸＺ平面又はＹＺ平面に沿う平板状に形成されている。これによれば、支持部材７５に収容体７４及び付勢部材７６が取り付けられた状態で、調整部７６４を支持部材７５から離間する方向に引くことにより、収容体７４に作用する付勢力を弱めることができる。一方、調整部７６４を支持部材７５側に押すことにより、当該付勢力を高めることができる。従って、当該付勢力を確実かつ簡易に調整できる。
【０１１８】
収容体７４の位置調整後に、当該収容体７４を支持部材７５に固定する固定部材７７は、収容体７４を挿通して支持部材７５に固定されるねじＳＣ１０を、押圧部７７２１，７７３１にて保持している。これによれば、ねじＳＣ１０が固定部材７７から脱落することを抑制できる。このため、第２ピックアップ光学装置７が光源装置用筐体８内に収容され、当該光源装置用筐体８内にてピックアップレンズ７１〜７３の位置調整が実施される際に、ねじＳＣ１０が筐体８内に脱落してしまうことを抑制できる。従って、レンズ７１〜７３の位置調整時の操作、及び、支持部材７５に対する収容体７４の固定操作を容易に実施できる。
【０１１９】
上記光源装置用筐体８は、収容体７４と支持部材７５とを固定する治具が挿入される開口部８２２，８２３を有する。これによれば、光源装置用筐体８内に第２ピックアップ光学装置７を収容した状態で、これら開口部８２２，８２３を介して光源装置用筐体８外から挿入される治具によって、収容体７４と支持部材７５とを固定できる。従って、光源装置５の製造を容易に実施できる他、光源装置用筐体８内に設定された第１照明光軸Ａｘ１に対するピックアップレンズ７１〜７３の位置調整を適切に実施できる。
【０１２０】
光源装置用筐体８では、第１開口部としての開口部８２１，８４２、及び、第２開口部としての開口部８２２，８２３は、それぞれ＋Ｚ方向側に開口している。これによれば、第２保持部材６４を把持して第２マルチレンズ６２を位置調整するための治具（第１治具）と、収容体７４を把持してピックアップレンズ７１〜７３を位置調整するための治具（第２治具）のそれぞれを、光源装置用筐体８に対して同じ側から挿入できる。従って、第２マルチレンズ６２の位置調整操作、及び、ピックアップレンズ７１〜７３の位置調整操作のそれぞれを順次実施しやすくすることができる。
【０１２１】
［実施形態の変形］
本発明は、上記実施形態に限定されるものではなく、本発明の目的を達成できる範囲での変形、改良等は本発明に含まれるものである。
上記ホモジナイザー光学装置６では、第１マルチレンズ６１を保持する第１保持部材６３が複数の突出部６３２９を有し、第２マルチレンズ６２を保持する第２保持部材６４が、対応する突出部６３２９上を摺動する複数の摺動面６４２８を有するとした。しかしながら、これに限らず、例えば、第１保持部材６３が摺動面を有し、第２保持部材６４が、当該摺動面に沿って摺動する突出部を有する構成としてもよい。また、突出部６３２９及び摺動面６４２８のそれぞれの数は、互いに対応していれば４に限らない。
また、付勢部材６５は、必ずしも複数の摺動面と複数の突出部との全ての当接部位近傍に付勢力を作用させなくてもよい。
【０１２２】
上記ホモジナイザー光学装置６は、２つの付勢部材６５（６５Ａ，６５Ｂ）を有するとした。しかしながら、これに限らず、ホモジナイザー光学装置は、１つの付勢部材を備える構成としてもよい。また、付勢部材６５の作用部６５４，６５５は、＋Ｚ方向側から見て摺動面６４２８の一部と重なるように位置するとした。しかしながら、これに限らず、付勢部材の作用部は、摺動面と重ならなくてもよい。すなわち、＋Ｚ方向に沿って見た場合に、摺動面と突出部との当接部位近傍に、上記付勢力が作用されるように、付勢部材の作用部が位置していればよい。
【０１２３】
上記ホモジナイザー光学装置６では、摺動面６４２８は、第２保持部材６４における四隅のそれぞれに位置していた。しかしながら、これに限らず、第２保持部材６４における摺動面６４２８の位置、及び、当該摺動面６４２８が当接される突出部６３２９の第１保持部材６３における位置は、適宜変更可能である。
また、第２保持部材６４を保持して第２マルチレンズ６２の位置を調整する治具によって把持される被把持部６４２７の位置は、第２保持部材６４において長手方向である＋Ｙ方向の略中央に位置しているとした。しかしながら、これに限らず、当該治具が第２保持部材６４を把持できれば、被把持部６４２７の位置は問わない。
【０１２４】
上記ホモジナイザー光学装置６では、付勢部材６５は、第１保持部材６３に取り付けられて、第２保持部材６４を第１保持部材６３側に付勢するとした。しかしながら、これに限らず、第２保持部材６４に取り付けられ、第１保持部材６３を第２保持部材６４側に付勢することにより、第１保持部材６３と第２保持部材６４とが互いに近接する方向に、これら保持部材６３，６４を付勢してもよい。
【０１２５】
上記第２ピックアップ光学装置７は、ピックアップレンズ７１〜７３の他、当該ピックアップレンズ７１〜７３を収容する収容体７４、当該収容体７４を支持して光源装置用筐体８に固定される支持部材７５、収容体７４を支持部材７５側に付勢する付勢部材７６、及び、収容体７４を支持部材７５に固定する固定部材７７を備えるとした。これら収容体７４、支持部材７５、付勢部材７６及び固定部材７７と同様の構成を、第１ピックアップ光学装置５５が備えていてもよい。この場合で、第１ピックアップ光学装置５５におけるピックアップレンズ５５１〜５５３の第１照明光軸Ａｘ１に対する直交面上の位置を調整する必要がない場合には、当該レンズ５５１〜５５３を収容する収容体を固定部材によって支持部材に固定しておいてもよい。
【０１２６】
上記第２ピックアップ光学装置７では、支持部材７５が突出部７５１３を有し、ピックアップレンズ７１〜７３を収容する収容体７４が、突出部７５１３に当接して当該突出部７５１３上を摺動する摺動面７４１５Ａを有するとした。しかしながら、これに限らず、収容体７４が突出部を有し、支持部材７５が摺動面を有していてもよい。また、突出部７５１３及び摺動面７４１５Ａは、分断されていてもよい。すなわち、上記ホモジナイザー光学装置６のように、収容体７４及び支持部材７５のうち、一方が複数の突出部を有し、他方が少なくとも１つの摺動面を有する構成としてもよい。
【０１２７】
上記第２ピックアップ光学装置７では、付勢部材７６の４つの固定部７６１（７６１Ａ〜７６１Ｄ）が、それぞれ２つの作用部７６３を有するとした。そして、各作用部７６３は、突出部７５１３と当接する摺動面７４１５Ａとは反対側の端面７４１５Ｂにおいて、＋Ｘ方向側の２箇所、−Ｘ方向側の２箇所、＋Ｙ方向側の２箇所、及び、−Ｙ方向側の２箇所に付勢力を作用させるとした。しかしながら、これに限らず、例えば、各固定部７６１は、１つの作用部７６３を有する構成としてもよく、３つ以上の作用部７６３を有する構成としてもよい。また、作用部７６３によって付勢力が収容体７４に作用する位置は、摺動面７４１５Ａとは反対側の収容体７４の面であれば、例えば、板状体７４２，７４３における＋Ｚ方向側の面であってもよい。すなわち、支持部材７５側とは反対側の収容体７４の面において、突出部７５１３と摺動面７４１５Ａとの当接部位近傍の位置に付勢力が作用されれば、作用部７６３の位置及び数は問わない。
【０１２８】
上記第２ピックアップ光学装置７では、収容体７４は、収容体本体７４１と、当該収容体本体７４１に固定される板状体７４２，７４３と、を有するとした。しかしながら、これに限らず、収容体７４は一体品であってもよい。
上記第２ピックアップ光学装置７では、付勢部材７６は、４つの固定部７６１と、隣り合う２つの固定部７６１を接続し、当該付勢部材７６によって作用する付勢力を調整する４つの調整部７６４と、を有し、収容体本体７４１を囲む枠状に形成されているとした。しかしながら、これに限らず、収容体７４に対して上記付勢力を作用させることが可能であれば、付勢部材７６の形状及び構成は問わない。例えば、付勢部材７６は、環状等の他の形状に形成されていてもよく、調整部７６４はなくてもよい。
【０１２９】
上記第２ピックアップ光学装置７では、固定部材７７は、脱落が生じないようにねじＳＣ１０を保持するとした。しかしながら、これに限らず、ねじＳＣ１０は、収容体７４（ピックアップレンズ７１〜７３）の位置調整後に治具等によって固定部材７７に取り付けられてもよい。更に、収容体７４と支持部材７５とは、ねじＳＣ１０以外の構成によって固定されてもよい。上記ホモジナイザー光学装置６における第１保持部材６３と第２保持部材６４とにおいても同様である。
【０１３０】
上記光源装置５では、光源装置用筐体８は、ホモジナイザー光学装置６の第１保持部材６３と第２保持部材６４とを固定するための治具が挿入される第１開口部としての開口部８２１，８４２と、第２ピックアップ光学装置７の収容体７４と支持部材７５とを固定するための治具が挿入される第２開口部としての開口部８２２，８２３と、を有するとした。そして、これら開口部８２１〜８２３，８４２は、＋Ｚ方向側に開口しているとした。しかしながら、これに限らず、第１開口部が開口する方向と、第２開口部が開口する方向とは異なっていてもよい。また、開口部８２１，８４２は、光源装置用筐体８において同じ面に位置していてもよい。
【０１３１】
上記プロジェクター１は、それぞれ液晶パネルを有する３つの光変調装置４４（４４Ｒ，４４Ｇ，４４Ｂ）を備えるとした。しかしながら、これに限らず、２つ以下、あるいは、４つ以上の光変調装置を備えたプロジェクターにも、本発明を適用可能である。
また、光変調装置４４は、光入射面と光出射面とが異なる透過型の液晶パネルを備える構成としたが、光入射面と光出射面とが同一となる反射型の液晶パネルを備えていてもよい。更に、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
上記プロジェクター１は、図２に示した構成を有する画像投射装置４を備えるとした。しかしながら、画像投射装置４の形状及び構成は、図２に示した例に限らない。
【０１３２】
上記実施形態では、本発明のホモジナイザー光学装置としてのホモジナイザー光学装置６、及び、本発明のピックアップ光学装置としての第２ピックアップ光学装置７を、プロジェクターに採用される光源装置に適用した例を挙げた。しかしながら、これに限らず、これらのうち少なくともいずれかを照明機器等の光源装置に適用してもよい。
ホモジナイザー光学装置６と同様の構成を、均一化装置９が有する第１レンズアレイ９１及び第２レンズアレイ９２の位置調整機構に採用してもよい。
【符号の説明】
【０１３３】
１…プロジェクター、４４（４４Ｂ，４４Ｇ，４４Ｒ）…光変調装置、４６…投射光学装置、５…光源装置、５４…光合成装置、５６…波長変換装置、５８…拡散素子、６…ホモジナイザー光学装置、６１…第１マルチレンズ、６２…第２マルチレンズ、６３…第１保持部材、６３２９…突出部、６４…第２保持部材、６４２７…被把持部、６４２８…摺動面、６５（６５Ａ，６５Ｂ）…付勢部材、６５４，６５５…作用部、７…第２ピックアップ光学装置（ピックアップ光学装置）、７１〜７３…ピックアップレンズ（レンズ）、７４…収容体、７４１…収容体本体、７４１５…フランジ部（外径部）、７４１５Ａ…摺動面、７４２，７４３…板状体（外径部）、７５…支持部材、７５１３…突出部、７６…付勢部材、７６１（７６１Ａ〜７６１Ｄ）…固定部、７６３…作用部、７６４（７６４Ａ〜７６４Ｄ）…調整部、７７…固定部材、８…光源装置用筐体（筐体）、８２１，８４２…開口部（第１開口部）、８２２，８２３…開口部（第２開口部）、ＳＣ１０…ねじ（固定具）。
【図１】
0006613918.tif 000002
【図２】
0006613918.tif 000003
【図３】
0006613918.tif 000004
【図４】
0006613918.tif 000005
【図５】
0006613918.tif 000006
【図６】
0006613918.tif 000007
【図７】
0006613918.tif 000008
【図８】
0006613918.tif 000009
【図９】
0006613918.tif 000010
【図１０】
0006613918.tif 000011
【図１１】
0006613918.tif 000012
【図１２】
0006613918.tif 000013
【図１３】
0006613918.tif 000014
【図１４】
0006613918.tif 000015
【図１５】
0006613918.tif 000016
【図１６】
0006613918.tif 000017
【図１７】
0006613918.tif 000018
【図１８】
0006613918.tif 000019
【図１９】
0006613918.tif 000020
【図２０】
0006613918.tif 000021
【図２１】
0006613918.tif 000022
【図２２】
0006613918.tif 000023
【図２３】
0006613918.tif 000024
【図２４】
0006613918.tif 000025